(57)【要約】【課題】紙媒体と電子ペーパーの双方を読取ることができる画像読取装置、画像形成装置、電子ペーパーおよびプログラムを提供する。【解決手段】複写機に、原稿Ｐとして電子ペーパーと紙媒体を混載して読取位置８０へ搬送するＡＤＦ２３を搭載し、このＡＤＦ２３に、原稿が電子ペーパーであるか、紙媒体であるかを判別する電子媒体検出部８０２等と、その判別に基づいてＡＤＦ２３の搬送を制御するコントローラと、読取位置８０で電子ペーパーに記憶された電子データを読取る通信読取部８１″と、読取位置８０で紙媒体の画像を光学的に読取り、電子データを取得する光学読取部８１′と、を備え、媒体種別に応じて通信読取部８１″又は光学読取部８１′により原稿を読取る。【選択図】図２
2008124722.tif 000002
【特許請求の範囲】
【請求項１】
電子データを記憶する電子データ記憶手段および外部と通信する第１の通信手段を有する電子ペーパーと紙媒体のいずれか又は双方を原稿として読取位置へ搬送する搬送手段と、
第２の通信手段を有し、前記原稿に対して所定の信号を送信し、前記所定の信号に対する応答の有無に基づいて前記原稿が前記電子ペーパーであるか紙媒体であるかを判別する判別手段と、
前記判別手段の判別に基づいて前記搬送手段の搬送を制御する搬送制御手段と、
第３の通信手段を有し、前記読取位置で第１の通信手段と通信して前記電子データ記憶手段に記憶された電子データを読取る通信読取手段と、
前記読取位置で前記紙媒体の画像を光学的に読取り、前記画像の電子データを取得する光学読取手段と、
前記通信読取手段および前記光学読取手段の読取りを制御する読取制御手段と、
を備えたことを特徴とする画像読取装置。
【請求項２】
前記判別手段の判別に基づいて、前記読取制御手段は、前記読取位置で前記光学読取手段に前記紙媒体の画像を光学的に読取らせ、前記通信読取手段に前記電子ペーパーの電子データを読取らせることを特徴とする請求項１に記載の画像読取装置。
【請求項３】
前記原稿として前記電子ペーパーと前記紙媒体とが混在する場合に、前記判別手段の判別に関らず、前記読取制御手段は、前記通信読取手段と前記光学読取手段の双方に前記原稿の読取りを行わせ、前記双方の読取りが成功した場合には、前記光学読取手段により読取られた前記画像を廃棄することを特徴とする請求項１に記載の画像読取装置。
【請求項４】
第４の通信手段を有し、前記第１の通信手段と通信して前記電子データ記憶手段に記憶された電子データの容量を検出する容量検出手段と、前記容量検出手段により検出された前記電子データの容量に基づいて前記通信読取手段が前記電子データを読取るときの所要通信時間を算出する読取時間算出手段と、を備え、
前記搬送制御手段は、前記読取時間算出手段により算出された所要通信時間に基づいて前記搬送手段による前記電子ペーパーの搬送を制御することを特徴とする請求項１から請求項３のいずれか１項に記載の画像読取装置。
【請求項５】
前記搬送制御手段は、前記読取時間算出手段により算出された所要通信時間に基づいて、前記搬送手段による前記電子ペーパーの読取り中の搬送速度を設定することを特徴とする請求項４に記載の画像読取装置。
【請求項６】
前記搬送制御手段は、前記読取時間算出手段により算出された所要時間に基づいて、前記読取位置で前記搬送手段による前記電子ペーパーの搬送を一旦停止させ、前記通信読取手段により前記電子データの全容量が読取られた後、前記電子ペーパーの搬送を再開させることを特徴とする請求項４又は請求項５に記載の画像読取装置。
【請求項７】
前記読取位置に対して搬送方向上流の搬送路近傍に前記容量検出手段を配置したことを特徴とする請求項４から請求項６のいずれか１項に記載の画像読取装置。
【請求項８】
前記読取位置に対して搬送方向上流の搬送路近傍に前記判別手段を配置したことを特徴とする請求項１から請求項７のいずれか１項に記載の画像読取装置。
【請求項９】
前記読取位置に対して搬送方向下流の搬送路近傍に前記通信読取手段を配置し、
前記判別手段の判別に基づいて、前記搬送制御手段は、前記搬送手段に前記電子ペーパーを前記読取位置の搬送方向下流に搬送させ、前記読取制御手段は、前記通信読取手段に前記読取位置の搬送方向下流で前記電子ペーパーを読取らせることを特徴とする請求項１から請求項８のいずれか１項に記載の画像読取装置。
【請求項１０】
前記読取位置から前記原稿を載置するためのコンタクトガラスの近傍へ、前記通信読取手段を移動する移動手段を備え、
前記通信読取手段は前記コンタクトガラスの近傍で前記コンタクトガラスに載置された前記電子ペーパーの電子データを読取ることを特徴とする請求項１から請求項８のいずれか１項に記載の画像読取装置。
【請求項１１】
請求項１から請求項１０のいずれか１項に記載の画像読取装置を有する画像読取手段と、
前記通信読取手段により読取られた電子データおよび前記光学読取手段により取得された電子データに基づいて所定の用紙に画像を形成する画像形成手段と、
を備えたことを特徴する画像形成装置。
【請求項１２】
コンピュータに、
判別手段が、電子データを記憶する電子データ記憶手段および外部と通信する第１の通信手段を有する電子ペーパー又は紙媒体の原稿に対して、第２の通信手段により所定の信号を送信し、前記所定の信号に対する応答の有無に基づいて前記原稿が前記電子ペーパーであるか前記紙媒体であるかを判別するように制御する判別制御機能と、
前記判別手段の判別に基づいて、搬送手段が前記原稿を読取位置へ搬送するように制御する搬送制御機能と、
前記判別手段の判別に基づいて、前記読取位置で、第３の通信手段を有する通信読取手段が、第１の通信手段と通信して前記電子データ記憶手段に記憶された前記電子データを読取るか、光学読取手段が、前記紙媒体の画像を光学的に読取るように制御する読取制御機能と、
を実現させるためのプログラム。
【請求項１３】
前記コンピュータに、
第４の通信手段を有する容量検出手段が、前記第１の通信手段と通信して前記電子データ記憶手段に記憶された電子データの容量を検出するように制御する容量検出制御機能と、
前記容量検出手段により検出された前記電子データの容量に基づいて前記通信読取手段が前記電子データを読取るときの所要通信時間を算出する読取時間算出機能と、
前記読取時間算出機能により算出された所要通信時間に基づいて前記搬送手段が前記電子ペーパーを搬送するときの搬送速度を制御する搬送速度制御機能と、
を実現させるための請求項１２に記載のプログラム。
【請求項１４】
頁ごとに区切られた電子データを記憶する電子データ記憶手段と、外部と通信する外部通信手段と、を備え、
外部からの信号に応じて全頁分の前記電子データを送信することを特徴とする電子ペーパー。
【請求項１５】
前記電子データ記憶手段は、全頁分の前記電子データの容量を示す容量データを記憶し、
外部からの信号に応じて前記容量データを送信することを特徴とする請求項１４に記載の電子ペーパー。
【発明の詳細な説明】
【技術分野】
【０００１】
本発明は、電子ペーパーおよび紙媒体を読取る機能を有する画像読取装置、画像形成装置、電子ペーパーおよびプログラムに関するものである。
【背景技術】
【０００２】
従来、生産性、省スペースなどの理由から、スキャナ部分を固定し、原稿を所定の速度で搬送することにより画像を取得する、シートスルー方式に対応可能な画像読取装置が普及している。この種の画像読取装置は、原稿載置台に積載された複数のシート状の紙媒体（薄紙、厚紙等）の種類あるいは読取倍率に応じて搬送速度を設定し、複数枚の原稿を効率的に読取るようにしている（例えば、特許文献１参照）。
【０００３】
一方、紙媒体と電子ディスプレイの長所を併せ持つ電子媒体（以下「電子ペーパー」ともいう）が開発されている。この種の電子ペーパーは、例えば、電気泳動現象を利用したディスプレイを採用している（例えば、特許文献２参照）。このディスプレイは、透明な液体が満たされたマイクロカプセル中に正負に帯電した白い粒子（例えば、酸化チタン）と黒い粒子（例えば、カーボンブラック）とを入れ、これを透明な基材面にコーティングし、外部電圧の印加によってそれぞれの粒子を表示面に引き上げて画像を形成するものである。また、この種の電子ペーパーは、ＵＳＢ（Universal Serial Bus）を介してパーソナルコンピュータと接続可能であって、前記パーソナルコンピュータが前記ディスプレイに表示する電子データを更新し、あるいは前記ディスプレイのメモリに蓄積された電子データを読み出すようにしている。さらに、前記ディスプレイをポリマー・フィルムで形成することも従来から研究されている。
【特許文献１】特開２０００−１５１９２５号公報
【特許文献２】特開２００６−２１９１６４号公報
【発明の開示】
【発明が解決しようとする課題】
【０００４】
しかしながら、従来の画像読取装置においては、紙媒体と電子ペーパーの双方を読取ることについては配慮がなされておらず、さらに改善の余地がある。
【０００５】
本発明は、従来の問題を解決するためになされたもので、紙媒体と電子ペーパーの双方を読取ることのできる画像読取装置、画像形成装置、電子ペーパーおよびプログラムを提供することを目的とする。
【課題を解決するための手段】
【０００６】
請求項１に記載の画像読取装置は、電子データを記憶する電子データ記憶手段および外部と通信する第１の通信手段を有する電子ペーパーと紙媒体のいずれか又は双方を原稿として読取位置へ搬送する搬送手段と、第２の通信手段を有し、前記原稿に対して所定の信号を送信し、前記所定の信号に対する応答の有無に基づいて前記原稿が前記電子ペーパーであるか前記紙媒体であるかを判別する判別手段と、前記判別手段の判別に基づいて前記搬送手段の搬送を制御する搬送制御手段と、第３の通信手段を有し、前記読取位置で第１の通信手段と通信して前記電子データ記憶手段に記憶された電子データを読取る通信読取手段と、前記読取位置で前記紙媒体の画像を光学的に読取り、前記画像の電子データを取得する光学読取手段と、前記通信読取手段および前記光学読取手段の読取りを制御する読取制御手段と、を備えた構成を有している。
【０００７】
ここで、電子ペーパーは、電子データを頁ごとに管理し、頁ごとの電子データを画像に変換して表示するように構成されている。また、紙媒体および電子ペーパーに表示された画像には、文字（テキスト）、図形、写真等が含まれる。電子データには、文字（テキスト）、図形、写真等の電子データが含まれる。
【０００８】
請求項２に記載の画像読取装置は、請求項１において、前記判別手段の判別に基づいて、前記読取制御手段は、前記読取位置で前記光学読取手段に前記紙媒体の画像を光学的に読取らせ、前記通信読取手段に前記電子ペーパーの電子データを読取らせる構成を有している。
【０００９】
請求項３に記載の画像読取装置は、請求項１において、前記原稿として前記電子ペーパーと前記紙媒体とが混在する場合に、前記判別手段の判別に関らず、前記読取制御手段は、前記通信読取手段と前記光学読取手段の双方に前記原稿の読取りを行わせ、前記双方の読取りが成功した場合には、前記光学読取手段により読取られた前記画像を廃棄する構成を有している。
【００１０】
請求項４に記載の画像読取装置は、請求項１から請求項３のいずれか１項において、第４の通信手段を有し、前記第１の通信手段と通信して前記電子データ記憶手段に記憶された電子データの容量を検出する容量検出手段と、前記容量検出手段により検出された前記電子データの容量に基づいて前記通信読取手段が前記電子データを読取るときの所要通信時間を算出する読取時間算出手段と、を備え、前記搬送制御手段は、前記読取時間算出手段により算出された所要通信時間に基づいて前記搬送手段による前記電子ペーパーの搬送を制御する構成を有している。
【００１１】
請求項５に記載の画像読取装置は、請求項４において、前記搬送制御手段は、前記読取時間算出手段により算出された所要通信時間に基づいて、前記搬送手段による前記電子ペーパーの読取中の搬送速度を設定する構成を有している。
【００１２】
請求項６に記載の画像読取装置は、請求項４又は請求項５において、前記搬送制御手段は、前記読取時間算出手段により算出された所要時間に基づいて、前記読取位置で前記搬送手段による前記電子ペーパーの搬送を一旦停止させ、前記通信読取手段により前記電子データの全容量が読取られた後、前記電子ペーパーの搬送を再開させる構成を有している。
【００１３】
請求項７に記載の画像読取装置は、請求項４から請求項６のいずれか１項において、前記読取位置に対して搬送方向上流の搬送路近傍に前記容量検出手段を配置した構成を有している。
【００１４】
請求項８に記載の画像読取装置は、請求項１から請求項７のいずれか１項において、前記読取位置に対して搬送方向上流の搬送路近傍に前記判別手段を配置した構成を有している。
【００１５】
請求項９に記載の画像読取装置は、請求項１から請求項８のいずれか１項において、前記読取位置に対して搬送方向下流の搬送路近傍に前記通信読取手段を配置し、前記判別手段の判別に基づいて、前記搬送制御手段は、前記搬送手段に前記電子ペーパーを前記読取位置の搬送方向下流に搬送させ、前記読取制御手段は、前記通信読取手段に前記読取位置の搬送方向下流で前記電子ペーパーを読取らせる構成を有している。
【００１６】
請求項１０に記載の画像読取装置は、請求項１から請求項８のいずれか１項において、前記読取位置から前記原稿を載置するためのコンタクトガラスの近傍へ、前記通信読取手段を移動する移動手段を備え、前記通信読取手段は前記コンタクトガラスの近傍で前記コンタクトガラスに載置された前記電子ペーパーの電子データを読取る構成を有している。
【００１７】
請求項１１に記載の画像形成装置は、請求項１から請求項１０のいずれか１項に記載の画像読取装置を有する画像読取手段と、前記通信読取手段により読取られた電子データおよび前記光学読取手段により取得された電子データに基づいて所定の用紙に画像を形成する画像形成手段と、を備えた構成を有している。
【００１８】
請求項１２に記載のプログラムは、コンピュータに、判別手段が、電子データを記憶する電子データ記憶手段および外部と通信する第１の通信手段を有する電子ペーパー又は紙媒体の原稿に対して、第２の通信手段により所定の信号を送信し、前記所定の信号に対する応答の有無に基づいて前記原稿が前記電子ペーパーであるか前記紙媒体であるかを判別するように制御する判別制御機能と、前記判別手段の判別に基づいて、搬送手段が前記原稿を読取位置へ搬送するように制御する搬送制御機能と、前記判別手段の判別に基づいて、前記読取位置で、第３の通信手段を有する通信読取手段が、第１の通信手段と通信して前記電子データ記憶手段に記憶された前記電子データを読取るか、光学読取手段が、前記紙媒体の画像を光学的に読取るように制御する読取制御機能と、を実現させるためのものである。
【００１９】
請求項１３に記載のプログラムは、請求項１２において、前記コンピュータに、第４の通信手段を有する容量検出手段が、前記第１の通信手段と通信して前記電子データ記憶手段に記憶された電子データの容量を検出するように制御する容量検出制御機能と、前記容量検出手段により検出された前記電子データの容量に基づいて前記通信読取手段が前記電子データを読取るときの所要通信時間を算出する読取時間算出機能と、前記読取時間算出機能により算出された所要通信時間に基づいて前記搬送手段が前記電子ペーパーを搬送するときの搬送速度を制御する搬送速度制御機能と、を実現させるためのものである。
【００２０】
請求項１４に記載の電子ペーパーは、頁ごとに区切られた電子データを記憶する電子データ記憶手段と、外部と通信する外部通信手段と、を備え、外部からの信号に応じて全頁分の前記電子データを送信する構成を有している。
【００２１】
請求項１５に記載の電子ペーパーは、請求項１４において、前記電子データ記憶手段は、全頁分の前記電子データの容量を示す容量データを記憶し、外部からの信号に応じて前記容量データを送信する構成を有している。
【発明の効果】
【００２２】
本発明は、原稿が電子ペーパーであるか、紙媒体であるかを判別する判別手段と、前記判別手段の判別に基づいて前記原稿の搬送を制御する搬送制御手段と、読取位置で前記電子ペーパーに記憶された電子データを読取る通信読取手段と、前記読取位置で前記紙媒体の画像を光学的に読取り、前記画像の電子データを取得する光学読取手段と、前記通信読取手段および前記光学読取手段の読取りを制御する読取制御手段と、を設けることにより、紙媒体と電子ペーパーの双方を読取ることができるという効果を有する画像読取装置を提供することができる。
【発明を実施するための最良の形態】
【００２３】
以下、本発明の実施の一形態について、図面を用いて説明する。
【００２４】
図１〜図１６は本発明に係る画像読取装置、この画像読取装置を備えた画像形成装置、電子ペーパーおよびプログラムの一実施の形態を示す図であり、本実施の形態では、画像形成装置を複写機に適用した例を示している。
【００２５】
なお、画像形成装置としては複写機以外にファクシミリ装置、プリンタ装置、複写機能とファクシミリ機能等を備えた複合機等に適用することができる。また、画像読取装置としては、スキャナ装置、ファクシミリ装置、複写機能とファクシミリ機能等を備えた複合機等に適用することができる。
【００２６】
まず、構成を説明する。図１において、複写機２１の本体２１ａの上面には透光性部材からなるコンタクトガラス２２ａ（図２参照）が設けられており、このコンタクトガラス２２ａに隣接する本体の上面にはコンタクトガラス２２ａよりも小面積の透光性部材からなるスリットガラス２２ｂが設けられている（図２参照）。
【００２７】
また、本体２１ａの上部には自動原稿搬送装置としてのＡＤＦ２３が設けられており、このＡＤＦ２３は図示しないヒンジ機構を介してコンタクトガラス２２ａを開放および閉塞するように開閉自在になっている。
【００２８】
図２から図８に基づいてＡＤＦ２３の構成を説明する。図２はＡＤＦ２３の概略構成図である。図３は電子媒体検出部８０２の概略を示すブロック図である。図４、図５は電子ペーパー９００の概略を示す構成図およびブロック図である。図６は容量検出部８０１の概略を示すブロック図である。図７はＡＤＦ２３の制御系の概略を示すブロック図である。図８は通信読取部８１″の概略を示すブロック図である。
図２において、ＡＤＦ２３は用紙載置台としての原稿テーブル２４を備えており、この原稿ケーブル２４には原稿面が上向きになるように原稿束Ｐが載置されるようになっている。この原稿束Ｐは、紙媒体又は電子ペーパーのいずれか又は双方が積載されたものである。
【００２９】
原稿テーブル２４のテーブル面には原稿の長さを検出する原稿長さ検出手段としての原稿長さ検出センサ２５〜２７が設けられており、この原稿長さ検出センサ２５〜２７はそれぞれ隣接する一対の受光素子および発光素子を備えている。
【００３０】
したがって、原稿長さ検出センサ２５〜２７は少なくとも同一原稿サイズの縦か横かを判別可能なように原稿テーブル２４のテーブル面に配置されている。コントローラ１００は受光素子から入力した情報に基づいて原稿テーブル２４に載置された原稿束Ｐの搬送方向長さを判別する。
【００３１】
また、原稿テーブル２４に対して原稿の搬送方向下流側にはストッパ部材としてのストッパ爪２８が設けられており、このストッパ爪２８は呼出しモータ１０１によって原稿束Ｐの先端が突当てられる突当て位置（破線で示す位置）と原稿束Ｐの先端から退避する退避位置（実線で示す位置）の間で移動されるようになっている。
【００３２】
したがって、ストッパ爪２８が突当て位置にあるときに原稿束Ｐの先端が突当てられることにより、原稿束Ｐの先端を揃えるようになっている。また、原稿束Ｐの幅方向は原稿テーブル２４上に設けられた図示しないサイドフェンスに突当てられることにより、搬送方向と直行する方向の位置決めが行われるようになっている。
【００３３】
また、ストッパ爪２８が下方に移動すると、このストッパ爪２８はホームポジョンセンサ３４によって検出されるようになっており、ホームポジションセンサ３４は検出情報をコントローラ１００に出力する。
【００３４】
また、原稿束Ｐの先端側の原稿ケーブル２４上にはセットフィラー２９および原稿セットセンサ３０が設けられており、セットフィラー２９は原稿テーブル２４に原稿束Ｐが載置されたときに原稿束Ｐの先端に押圧されて破線で示す位置から実線で示す位置に移動し、原稿セットセンサ３０がこのセットフィラー２９を未検出の状態から検出した状態に変化すると、コントローラ１００に信号を出力する。
【００３５】
コントローラ１００はＩ／Ｆ１０７を介して複写機２１の本体２１ａに設けられた本体制御部１１１に接続されており、このＩ／Ｆ１０７に信号を出力する。本体制御部１１１はこの入力信号に基づいて本体２１ａ側で、通信読取部８１″又は光学読取部８１′による原稿の読取りを行うための待機状態に移行する。
【００３６】
ストッパ爪２８の上方には呼出し手段としての呼出しコロ３１が設けられており、この呼出しコロ３１は呼出しモータ１０１からの駆動力が後述する呼出しカム１２６を介して伝達されるようになっており、呼出しモータ１０１およびカム機構により実線で示す原稿束Ｐから退避する位置と二点鎖線で示す原稿束Ｐの上面に当接する位置との間で昇降するようになっている。
【００３７】
ここで、電子媒体検出部８０２は、呼出しコロ３１の搬送方向下流の搬送路近傍に配されている。図３に示すように、電子媒体検出部８０２は、アンテナ部８０２ａと、通信制御部８０２ｂと、媒体種別記憶部８０２ｃと、を有する構成である。アンテナ部８０２ａは、例えば、コイルアンテナを備え、電子ペーパー９００に対して磁界を発生し、電磁結合によって起電力を供給する。また、アンテナ部８０２ａを介して所定の信号を電子ペーパー９００に送信する。通信制御部８０２ｂは、後述する変復調回路、通信制御回路等を備え、電子ペーパー９００に対してＡＳＫ、ＦＳＫ、ＰＳＫ等で変調した信号（例えば、媒体種別を示す媒体種別データを要求する信号）を送信すると共に、電子ペーパー９００からの信号（例えば、媒体種別が電子ペーパーであることを示す媒体識別データの信号）を復調する。媒体種別記憶部８０２ｃは、前記電子ペーパー９００から送信された媒体種別データの信号を復調して得た媒体種別データ（媒体種別情報）を記憶する。この媒体種別データは、コントローラ１００に送られる。これに基づいて、コントローラ１００は原稿が電子ペーパー９００であるか、紙媒体であるかを判別することができる。
【００３８】
また、図４に示すように、電子ペーパー９００の片面には、電子ペーパー表示器９０４の表示面が形成され、この表示面の第１の表示領域９０８には頁情報（例えば、当該頁番号／最終頁番号（総頁数に相当する））が表示され、第２の表示領域９０９には容量情報（例えば、当該頁の容量／全容量）が表示されるようになっている。なお、電子ペーパー表示器９０４は、例えば、ポリマー・フィルムを用いた液晶ディスプレイ（ＰＦＬＣＤ）であって、任意の形状に変形することができるので、電子ペーパー９００は紙媒体と同様にＡＤＦ２３で搬送することができる。なお、例えば前記表示面の周縁には、頁更新を指示するための頁ボタン（不図示）が設けられ、この操作に応じて頁ごとに画像表示が更新されるようになっている。
【００３９】
より具体的には、図５に示すように、電子ペーパー９００は、ＩＣチップ９０２に接続されたアンテナコイル９０１（図４の９０１ａ、９０１ｂ、９０１ｃに相当する）と、入出力端子付きのＩＣチップ９０２と、書替可能な不揮発性の記憶素子（例えば、ＥＥＰＲＯＭ）からなる電子ペーパー記憶素子９０３と、例えば、マイクロカプセル電気泳動方式の電子ペーパー表示器９０４と、ＩＣチップ記憶素子９０２ｄに記憶された情報（電子データ）を表示用に変換する電子ペーパードライバ９０５と、太陽電池やボタン電池等の電源９０６と、を有する。さらに、ＩＣチップ９０２は、リーダ（例えば、通信読取部８１″）との電磁誘導で生じた電圧を整流する整流回路９０２ａと、アンテナコイル９０１を介して受信した信号を復調し、同じく送信する信号を変調するための変復調回路９０２ｂと、ＩＣチップ記憶素子９０２ｄ等に接続された通信制御回路９０２ｃと、各種情報（例えば、画像の電子データ、この電子データの容量を示す容量データ、頁情報としての頁データ）を記憶するＩＣチップ記憶素子９０２ｄと、を有する構成である。ここで、アンテナコイル９０１ａ、９０１ｂ、９０１ｃを３隅に設けたのは、原稿のセット方向に関らず、常に先端側にアンテナコイルが位置するためである。
【００４０】
また、電子ペーパー表示器９０４は、頁ごとの画像を表示している。ＩＣチップ記憶素子９０２ｄは、頁ごとに区切られた画像情報（電子データに相当する）、頁情報（頁データに相当する）、容量情報（容量データに相当する）、電子ペーパーであることを示す媒体種別情報（後述の媒体種別データに相当する）、等を記憶している。なお、前記画像には、文字（テキスト）、図形、写真等が含まれる。通信制御回路９０２ｃは、電子媒体識別部８０２からの信号に応じて媒体種別データの信号を送信し、容量検出部８０１からの信号に応じて容量データの信号を送信し、通信読取部８１″からの信号に応じて全頁分の電子データの信号を送信するように制御する。
【００４１】
前述の構成により、電子ペーパー９００にリーダ（例えば、通信読取部８１″）が接近すると、リーダの有するアンテナコイル（例えば、図８の８１ｇ）の磁界により、前記アンテナコイルとアンテナコイル９０１とが電磁結合する。この電磁結合により、アンテナコイル９０１に誘導起電力が発生して整流回路９０２ａに流れる。この整流回路９０２ａにより整流された電力は、ＩＣチップ９０２に供給されて起動、情報の更新などに使用される。
【００４２】
また、図２において、本体２１ａ側には操作部１０８が設けられており、この操作部のプリントキーが押下され、本体制御部１１１からＩ／Ｆ１０７を介してコントローラ１００に原稿給紙信号が送信されると、コントローラ１００は呼出しモータ１０１を正転駆動してストッパ爪２８を原稿束Ｐから下方向に退避するように駆動する。
【００４３】
そして、このストッパ爪２８が退避位置に移動すると、ストッパ爪２８はホームポジションセンサ３４によって検出されるようになっており、ホームポジションセンサ３４はストッパ爪２８を検出すると、コントローラ１００は呼出しモータ１０１を逆転駆動して呼出しコロ３１を原稿束Ｐに当接する位置に下降させる。
【００４４】
このとき、呼出しコロ３１は給紙モータ１０２の正転駆動によって原稿テーブル２４上の数枚（理想的には１枚）の原稿の給紙を開始する。この給紙された原稿は呼出しコロ３１の下流側に設けられた給紙ベルト３２およびリバースローラ３３からなる分離搬送手段に給紙される。また、前述の電子媒体検出部８０２は、前述のように原稿束Ｐに対して信号を送信し、所定の応答の有無によって原稿が電子ペーパーであるか否かを検出する。検出された媒体種別情報はコントローラ１００に送られる。
【００４５】
給紙ベルト３２は駆動ローラ３２ａおよび従動ローラ３２ｂに橋架されており、給紙モータ１０２から駆動ローラ３２ａに駆動力が伝達されると、周回移動するようになっている。
【００４６】
給紙ベルト３２は給紙モータ１０２が正転駆動されると給紙方向（時計回転方向）に周回移動するようになっており、リバースローラ３３には図示しないトルクリミッタが内蔵され、給紙モータ１０２が正転駆動されると給紙方向と逆方向（時計回転方向）に回転駆動されるようになっている。このため、最上位の原稿とその下の原稿が分離されて最上位の原稿のみが給紙される。
【００４７】
具体的には、リバースローラ３３は給紙ベルト３２と所定圧で接しており、給紙ベルト３２と直に接触しているとき、または、原稿１枚を介して接している状態では給紙ベルト３２の回転につられて反時計回転方向に連れ回りし、原稿が２枚以上給紙ベルト３２とリバースローラ３３の間に進入したときには連れ回り力がトルクリミッタのトルクよりも低くなるように設定されている。このため、リバースローラ３３は本来の駆動方向である時計回転方向に回転し、余分な原稿を押し戻す働きをして重送を防止することができる。
【００４８】
この分離原稿は給紙ベルト３２の下流側に設けられた分離用紙検出手段としての分離センサ５１によって検出されるようになっており、分離センサ５１によって検出された原稿は給紙ベルト３２によってさらに搬送され、給紙ベルト３２の下流側に設けられた突当てセンサ３５によって原稿の先端が検出された時点から所定量Ｘｍｍ搬送されると、コントローラ１００によって給紙モータ１０２の正転駆動を停止される。
【００４９】
この所定量Ｘｍｍは、突当てセンサ３５からプルアウトローラ対（回転部材）３６のニップ部までの距離よりも大きく設定されており、互いに摺接するプルアウト駆動ローラ３６ａおよびプルアウト従動ローラ３６ｂのニップ部に一定の撓みを形成した状態で停止されるようになっている。
【００５０】
このとき、呼出しモータ１０１はコントローラ１００からの指令により正転駆動されることにより、呼出しコロ３１を原稿上面から退避させ原稿を給紙ベルト３２の搬送力のみで搬送することにより、原稿の先端はプルアウト駆動ローラ３６ａおよびプルアウト従動ローラ３６ｂのニップ部に突当てられ、分離搬送時に発生した原稿の曲がり（スキュー）を補正することができる。
【００５１】
また、プルアウト駆動ローラ３６ａおよびプルアウト従動ローラ３６ｂは、原稿の分離後に給紙モータ１０２の逆転駆動によりスキュー補正された原稿を反転通路５３を介して下流側に設けられた読取入口ローラ対３７に向かって搬送する。この読取入口ローラ対３７は読取入口駆動ローラ３７ａと読取入口従動ローラ３７ｂによって構成されている。
【００５２】
また、給紙モータ１０２の逆転駆動時には、プルアウト駆動ローラ３６ａは駆動されるが、後述するワンウェイクラッチの作用により呼出しコロ３１と給紙ベルト３２に駆動力は伝達されない。
【００５３】
また、プルアウト駆動ローラ３６ａおよびプルアウト従動ローラ３６ｂの下流側には原稿幅センサ３８が設けられており、この原稿幅センサ３８は図２中、奥行き方向に複数個並べられ、実線で示す位置と二点鎖線で示す位置との間で移動するようになっている。
【００５４】
この原稿幅センサ３８は原稿を検出すると二点鎖線で示す位置に移動するようになっており、プルアウト駆動ローラ３６ａおよびプルアウト従動ローラ３６ｂにより搬送された原稿の搬送方向に直行する幅方向の情報を取得してコントローラ１００にこの検出情報を送信する。
【００５５】
コントローラ１００は原稿長さ検出センサ２５〜２７からの原稿長さ検出情報と原稿幅センサ３８からの幅検出情報との組合せに基づいて本体制御部１１１に原稿テーブル２４上に積載された原稿束Ｐのサイズ情報を送信する。
【００５６】
また、コントローラ１００は原稿の先端後端を突当てセンサ３５で検出する間に搬送した距離に相当するモータ駆動パルス数をカウントすることにより、原稿のより正確な長さを算出する。
【００５７】
また、プルアウト駆動ローラ３６ａの駆動により読取入口ローラ対３７に原稿が搬送される際には、原稿搬送速度を高速に設定して原稿をスリットガラス２２ｂ上の読取位置８０に送り込む処理時間の短縮を図るようになっており、特に２枚目以降の原稿ではこの高速搬送により前原稿との紙間を短縮することで生産性を向上させることができる。そして、原稿の先端が読取入口センサ３９によって検出されると、読取入口ローラ対３７に原稿先端が進入する前に減速が開始される。
【００５８】
また、原稿の先端が読取入口センサ３９によって検出されたこと、および電子媒体検出部８０２の検出情報により、コントローラ１００が電子ペーパー９００であると判別したことに基づいて、容量検出部８０１は、電子ペーパー９００のＩＣチップ記憶素子９０２ｄに記憶された電子データの全容量を検出する。
【００５９】
ここで、図６に示すように、容量検出部８０１は、アンテナ部８０１ａと、通信制御部８０１ｂと、容量記憶部８０１ｃと、を有する構成である。アンテナ部８０１ａは、例えば、コイルアンテナを備え、電子ペーパー９００に対して磁界を発生し、電磁結合によって起電力を供給する。また、アンテナ部８０１ａを介して所定の信号を電子ペーパー９００に送信する。通信制御部８０１ｂは、前述した変復調回路、通信制御回路等を備え、電子ペーパー９００に対してＡＳＫ、ＦＳＫ、ＰＳＫ等で変調した信号（例えば、電子ペーパーの全頁分の電子データの容量を示す容量データを要求する信号）を送信すると共に、電子ペーパー９００からの信号（（例えば、前記容量データの信号））を復調する。容量記憶部８０１ｃは、前記電子ペーパー９００からの容量データの信号を復調して得た容量データを記憶する。この容量データは、コントローラ１００に送られる。コントローラ１００は、この容量データに基づいて通信読取部８１″が電子ペーパー９００から電子データの全頁分を読取るための所要通信時間を算出し、搬送速度を設定する。あるいは、本体制御部１１１は、コントローラ１００を介して前記容量データを取得し、前記所要通信時間を算出してコントローラ１００に送り、コントローラ１００は、前記所要通信時間に基づいて搬送速度を設定する。前述の通信制御部８０１ｂおよび容量記憶部８０１ｃはＩＣチップで構成しても良い。
【００６０】
また、図２において、コントローラ１００は読取入口センサ３９から読取入口ローラ対３７までの距離よりもＹｍｍだけ搬送距離が長くなるように給紙モータ１０２を駆動して停止させることにより、停止している読取入口ローラ対３７のニップ部に原稿の先端を突当てて一定の撓みを形成した状態で原稿を停止させるようになっている。この結果、プルアウトローラ対３６による原稿の搬送時に発生したスキューを補正することができる。本実施の形態では、読取入口ローラ対３７がスキュー補正用のローラ対を構成している。
【００６１】
また、コントローラ１００は、原稿が読取入口ローラ対３７のニップ部で一時停止（レジスト停止）したときに、Ｉ／Ｆ１０７を介して本体制御部１１１にレジスト停止信号を送信するようになっている。
【００６２】
レジスト停止信号が送信されると、コントローラ１００は本体制御部１１１から読取開始信号を受信するようになっており、レジスト停止していた原稿が読取倍率（原稿が紙媒体の場合）又は所要通信時間（原稿が電子ペーパーの場合）に応じた搬送速度で搬送されるように読取モータ１０３を駆動し、読取出口ローラ対４０により原稿を搬送する。また、この読取出口ローラ対４０は読取出口駆動ローラ４０ａと読取出口従動ローラ４０ｂによって構成されている。
【００６３】
ここで、原稿の先端がスリットガラス２２ｂの上流側に設けられたレジストセンサ４１に到達するよりも前に読取開始信号を受信した場合はレジスト非停止読取動作となる。レジスト非停止読取動作の場合はレジスト停止を行わずに、読取搬送速度を維持したまま読取りを行う。
【００６４】
レジストセンサ４１は原稿の先端を検出するようになっており、レジストセンサ４１によって紙媒体の原稿の先端が検出されると、コントローラ１００は読取モータ１０３のパルスカウントを開始し、原稿先端がスリットガラス２２ｂ上の読取位置８０に到達するタイミングで、本体制御部１１１に対して副走査方向有効画像領域を示すゲート信号を送信する。このゲート信号は、通常は原稿の後端が読取位置８０を抜けるまで送信される。また、コントローラ１００は、同じく電子ペーパーの原稿先端が読取位置８０に到達するタイミングで、本体制御部１１１に対して電子ペーパーの読取搬送開始を示す信号を送信する。
【００６５】
反転通路５３を介して読取位置８０を通過した原稿は上下面が反転されて読取出口ローラ対４０および排紙ローラ４２によって搬送されるようになっており、両面原稿の読取り終了後、または、片面原稿の片面読取り終了後には原稿排紙台としての排紙トレイ４３に排紙される。
また、排紙ローラ４２は排紙駆動ローラ４２ａ、排紙従動上ローラ４２ｂおよび排紙従動下ローラ４２ｃを備えており、この排紙ローラ４２の下流側には切換手段としての切換爪４４が設けられている。
【００６６】
両面原稿の搬送を行う場合には、この原稿の表面の読取り時に読取位置８０を抜けた原稿先端が排紙ローラ４２に到達する前に、切換爪４４が反転ソレノイド１０５に駆動されて２点鎖線で示す位置に切り換わるようになっている。
【００６７】
このとき、読取モータ１０３によって駆動される排紙駆動ローラ４２ａおよび排紙下従動ローラ４２ｃと、反転モータ１０４により駆動されるスイッチバックローラ対としての反転ローラ対４５により原稿がスイッチバック通路４６ａに搬送される。
【００６８】
コントローラ１００は読取出口ローラ対４０の下流側に設けられた読取出口センサ４７によって原稿の後端が検出されてから読取モータ１０３の駆動パルスが所定パルスに達すると、原稿の後端が排紙ローラ４２を抜け出たものと判別して、反転ソレノイド１０５をオフにして切換爪４４を実線で示す位置に移動させるようになっている。
【００６９】
また、コントローラ１００は前述したように読取モータ１０３の駆動パルスが所定パルスに達した後に、反転モータ１０４を逆転駆動して反転ローラ対４５を逆転駆動することにより、原稿をプルアウトローラ対３６に向かってスイッチバックする。
【００７０】
このとき、読取モータ１０３の駆動方向は同一方向で、反転モータ１０４の駆動方向は逆方向となり、処理時間短縮のために反転モータ１０４および読取モータ１０３を高速駆動する。
【００７１】
また、コントローラ１００は原稿がスイッチバックを始めると反転モータ１０４の駆動パルスが所定パルスになった後に、給紙モータ１０２を高速に逆転駆動して原稿をプルアウトローラ対３６に向かって高速搬送する。
【００７２】
また、再給紙通路４６ｂを搬送される原稿の後端が反転センサ４９によって検出されると、コントローラ１００は反転センサ４９からの検出情報に基づいて反転ローラ対４５の逆転駆動を停止するようになっている。
【００７３】
この後、プルアウトローラ対３６によって原稿のスキュー補正をして前述したようにして原稿の片面を読取り、再度スイッチバック通路４６ａでスイッチバックした後、再給紙通路４６ｂを通して読取位置８０に向かって搬送し、原稿の読取りを行わずに原稿面を備えるための反転動作を行って原稿を排紙トレイ４３に排紙する。
【００７４】
また、排紙ローラ４２の上流側には排紙センサ５０が設けられており、この排紙センサ５０は原稿の後端を検出してコントローラ１００に信号を出力するようになっており、コントローラ１００はこの検出情報に基づいて原稿が排紙されたものと判別する。
【００７５】
また、本体２１ａには表示部４８が設けられており、コントローラ１００は突当てセンサ３５、読取入口センサ３９、レジストセンサ４１、読取出口センサ４７、反転センサ４９、排紙センサ５０等からの検出情報および原稿長さ検出センサ２５〜２７からの検出情報に基づいてジャム判定を行い、ジャムが発生した場合に、表示部４８によってジャム表示を行うようになっている。
【００７６】
一方、複写機２１の本体２１ａ内には、図１に示すように画像読取装置８１が設けられており、この画像読取装置８１によって読取られた画像情報は書込部８２によって感光体ドラム８３に照射されるようになっている。
【００７７】
画像読取装置８１は、光学読取部８１′と通信読取部８１″とを有する構成である。光学読取部８１′は、コンタクトガラス２２ａまたはスリットガラス２２ｂ上の原稿を照明する光源８１ａと、原稿から反射された光をそれぞれ反射する第１ミラー８１ｂ、第２ミラー８１ｃ、第３ミラー８１ｄと、第３ミラー８１ｄから反射された光をＣＣＤイメージセンサ８１ｆに結像するレンズ８１ｅと、レンズ８１ｅによって結像された光を電気信号に変換するＣＣＤイメージセンサ８１ｆとを備えている。
【００７８】
光源８１ａおよび第１ミラー８１ｂは図示しない第１走行体に取付けられているとともに、第２ミラー８１ｃとおよび第３ミラー８１ｄは第２走行体に取付けられており、第１走行体および第２走行体（移動手段に相当する）はコンタクトガラス２２ａおよびスリットガラス２２ｂに沿って図１中、移動するようになっている。
【００７９】
そして、第１走行体および第２走行体は、コンタクトガラス２２ａに載置された原稿を読取るときには、コンタクトガラス２２ａの下方で図１中、左右方向に移動され、スリットガラス２２ｂを通過する原稿を読取るときには、スリットガラス２２ｂの下方で停止される。光学読取部８１′は、紙媒体および電子ペーパー９００に表示された画像（文字（テキスト）、図形、写真等を含む）を読取ることができる。なお、その画像の電子データを、本体制御部１１１に送って所定の記憶手段（不図示）に記憶させ、通信手段（不図示）を介してネットワーク上に送信するようにしても良い。
【００８０】
また、光学読取部８１′と通信読取部８１″は一体成形されているため、通信読取部８１″は、光学読取部８１′と共に前述の第１走行体および第２走行体によって移動、停止する。そして、コンタクトガラス２２ａ上に表示面下向きに載置された電子ペーパー又はスリットガラス２２ｂを通過する電子ペーパーと通信して電子データを読取ることになる。なお、通信読取部８１″は、電子ペーパーとの通信距離を縮めて電力消費を抑制するため、読取位置８０により近いことが好ましい。前述のように一体成形してユニット化することにより、省エネルギー、省スペースに役立つことになる。
【００８１】
図８に示すように、通信読取部８１″は、アンテナ部８１ｇと、通信制御部８１ｈと、画像記憶部８１ｉとを有する構成である。アンテナ部８１ｇは、例えばコイルアンテナを備え、電子ペーパー９００に対して磁界を発生し、電磁結合によって起電力を供給する。また、アンテナ部８１ｇを介して所定の信号を電子ペーパー９００に送信する。通信制御部８１ｈは、前述した変復調回路、通信制御回路、増幅回路等を備え、電子ペーパー９００に対してＡＳＫ、ＦＳＫ、ＰＳＫ等で変調した信号（例えば、前記電子データの全頁分を要求する信号）を送信すると共に、電子ペーパー９００から送信された信号（例えば、全頁分の電子データの信号）を復調する。画像記憶部８１ｉは、電子ペーパー９００からの電子データの信号を復調して得た電子データを記憶する。なお、この電子データを、本体制御部１１１に送って所定の記憶手段（不図示）に記憶させ、通信手段（不図示）を介してネットワーク上に送信するようにしても良い。
【００８２】
書込部８２は、画像読取装置８１の光学読取部８１′によって読取った画像情報としての電子データ、又は通信読取部８１″によって読取った電子データに応じて光変調したレーザ光を照射し、帯電させた感光体ドラム８３の表面をこのレーザ光で露光するようになっている。
【００８３】
感光体ドラム８３の周囲には、感光体ドラム８３と共に画像形成手段を構成する現像装置８６、転写ベルト８７、クリーニング装置８８、図示しない帯電装置および除電装置が設けられている。帯電装置は暗中にプラス電荷のコロナ放電をグリッドにより制御して感光体ドラムの表面を一定電位に帯電させるようになっている。
【００８４】
書込部８２はこの一定電位に帯電された感光体ドラム８３上に画像情報を含んだレーザダイオードを照射して感光体ドラム８３上のマイナス電荷を除去して静電潜像を形成する。
現像装置は感光体ドラム８３上の電気除去された部分にマイナスに帯電されたトナーを付着させて可視像を形成する。転写ベルト８７にはプラスのバイアスが印加されており、この転写ベルト８７はマイナスに帯電された可視像を記録媒体としての転写紙（用紙）に転写して搬送するようになっている。
【００８５】
クリーニング装置８８はクリーニングブレードを備えており、感光体ドラム８３に残ったトナーを掻き落とすようになっている。除電装置はＬＥＤを点灯させることにより感光体ドラム８３の残留電荷を除去して次の転写紙に新たな画像を形成するための準備を行う。
【００８６】
このようにした画像が形成された転写紙は定着装置９０に搬送され、定着装置９０によりトナー画像が転写紙に定着される。 
【００８７】
また、本体２１ａ内にはそれぞれ異なるサイズの転写紙Ｓ１〜Ｓ５が収納された収納カセット９１〜９５が設けられており、この収納カセット９１〜９５に収納された転写紙は呼出しコロ９１ａ〜９５ａによって給紙された後、搬送方向に回転する給紙ローラ９１ｂ〜９５ｂおよび給紙ローラ９１ｂ〜９５ｂに摺接し、分離方向に回転するリバースローラ９１ｃ〜９５ｃによって分離された後、中継ローラ対９６、９７を介してレジストローラ対９８に搬送され、レジストローラ対９８によってタイミングを取られて感光体ドラム８３と転写ベルト８７の間の搬送路に搬送される。
【００８８】
次に、図９〜図１６のフローチャートに基づいて原稿の搬送動作を説明する。なお、図９〜図１６のフローチャートはコントローラ１００によって制御される搬送制御プログラムである。ここでは、原稿（紙媒体又は電子ペーパー）の片面を読取搬送する片面モードの搬送動作を示す。
【００８９】
まず、図９において、コントローラ１００は原稿長さ検出センサ２５〜２７からの検出情報に基づいて原稿テーブル２４に原稿束Ｐがセットされたか否かを判別する（ステップＳ１）。
【００９０】
次いで、操作部１０８のプリントキーが押下されると、本体制御部１１１からＩ／Ｆ１０７を介してコントローラ１００に原稿給紙信号が送信されるため、コントローラ１００は給紙モータ１０２を時計回転方向に正転駆動する（ステップＳ２）。このとき、ストッパ爪２８が原稿束Ｐの先端から退避する。
【００９１】
次いで、コントローラ１００はホームポジションセンサ３４からの検出情報に基づいてストッパ爪２８が退避対置に移動したか否かを判別し（ステップＳ３）、ストッパ爪２８が退避位置に移動した場合には、呼出しモータ１０１を逆転駆動する（ステップＳ４）。
【００９２】
次いで、コントローラ１００は呼出しコロ３１が当接位置に移動したか否かを判別し（ステップＳ５）、呼出しコロ３１が当接位置に移動したものと判別した場合には、原稿長さ検出センサ２５〜２７からの検出情報に基づいて原稿の長さを取得し（ステップＳ７）、また呼出しコロ３１の近傍で電子媒体検出部８０２の検出情報に基づいて媒体種別を取得した後（ステップＳ８）、給紙モータ１０２を時計回転方向に正転駆動する（ステップＳ９）。このため、呼出しコロ３１によって原稿束Ｐから最上位に位置する原稿が分離された後、給紙ベルト３２およびリバースローラ３３によって最上位に位置する原稿が分離される。
【００９３】
次いで、コントローラ１００は突当てセンサ３５がオンしたか否かを判別し（ステップＳ１０）、突当てセンサ３５がオンしない場合には、ジャム検出時間オーバーか否かを判別する（ステップＳ１１）。コントローラ１００はジャム検出時間オーバーであるものと判別した場合には、突当て未達ジャムと判別して表示部４８にジャム表示を行う（ステップＳ１２）。
【００９４】
一方、ステップＳ１０で突当てセンサ３５がオンになったものと判別した場合には、突当て量をカウントする（ステップＳ１３）。すなわち、コントローラ１００は突当てセンサ３５とプルアウトローラ対３６の距離よりも大きく設定された所定量Ｘｍｍに相当する給紙モータ１０２の駆動パルスのカウントを開始する。
次いで、図１０に示すように、コントローラ１００は呼出しモータ１０１を反時計回転方向に逆転駆動した後（ステップＳ１４）、呼出しコロ３１が退避位置に移動したか否かを判別し（ステップＳ１５）、呼出しコロ３１が退避位置に移動した場合には、呼出しモータ１０１を停止する（ステップＳ１６）。
【００９５】
次いで、コントローラ１００は給紙モータ１０２のパルスカウントが突当て量（Ｘｍｍ）に相当する所定パルスに到達したか否かを判別し（ステップＳ１７）、パルスカウントが所定パルスに到達した場合には、図１１のステップＳ１９に進み、遅延時間がＴｄｌであるか否かを判別し、遅延時間がＴｄｌ以上であるものと判別した場合には、ステップＳ２０に進む。なお、給紙モータ１０２が所定パルスに到達した時点では、原稿が所定量の撓みを持ってプルアウトローラ対３６に押し当てられた状態になり原稿のスキューが矯正される。
【００９６】
また、本実施の形態では、後述の次原稿のプレフィードにおいて、次原稿の先端がプルアウトローラ対３６の位置から読取入口ローラ対３７のニップ部で一時停止するレジスト停止位置（読取待機位置）まで到達する所要時間(Ｔｐｏ)に対して、先行原稿の後端が読取位置８０を通過してから排紙ローラ４２を通過するまでの所要時間（Ｔｙｏ）がＴｙｏ＜（Ｔｐｏ＋Ｔｄｌ）となる遅延時間Ｔｄｌを設けることにより、次原稿のプルアウトローラ対３６の位置からの搬送を行う。
【００９７】
ステップＳ２０では、コントローラ１００は給紙モータ１０２の電流の切換えをオンにして給紙モータ１０２を高速で駆動する（ステップＳ２０）。給紙モータ１０２が逆転駆動されると、プルアウトローラ対３６は駆動されるが、プーリ１４０のワンウェイクラッチの作用により呼出しコロ３１と給紙ベルト３２に駆動力は伝達されないので、原稿はプルアウトローラ対３６によって搬送される。
【００９８】
次いで、コントローラ１００は原稿幅センサ３８がオンしたか否かを判別し（ステップＳ２１）、原稿幅センサ３８がオンした場合には、コントローラ１００は原稿幅センサ３８からの検出情報に基づいて原稿の幅情報を取得する（ステップＳ２２）。この結果、コントローラ１００は原稿長さ検出センサ２５〜２７の原稿長さ情報と原稿幅センサ３８からの幅情報との組合せにより原稿テーブル２４上に積載された原稿束Ｐのサイズ情報を把握することができる。
【００９９】
このとき、原稿はプルアウトローラ対３６および読取入口ローラ対３７に挟持されて読取位置８０に向かって搬送される。この際には原稿搬送速度を高速に設定されるので、原稿を読取位置８０に送り込む処理時間の短縮を図ることができる。特に、２枚目以降の原稿ではこの高速搬送により前原稿との紙間を短縮することで生産性を向上させることができる。
【０１００】
次いで、コントローラ１００は混載モードがオフになっているか否かを判別し（ステップＳ２３）、混載モードがオフになっている場合には、本体制御部１１１に原稿テーブル２４上に積載された原稿束Ｐのサイズ情報を送信する（ステップＳ２４）。
【０１０１】
次いで、コントローラ１００は読取入口センサ３９によって原稿の先端が検出されたか否かを判別し（ステップＳ２５）、読取入口センサ３９がオンしない場合には、ジャム検出時間オーバーか否かを判別する（ステップＳ２６）。コントローラ１００はジャム検出時間オーバーであるものと判別した場合には、先端検出未達ジャムと判別して表示部４８にジャム表示を行う（ステップＳ２７）。
【０１０２】
一方、ステップＳ２５で読取入口センサ３９がオンになったものと判別した場合には、電子媒体検出部８０２の検出情報に基づいて、コントローラ１００は原稿が電子ペーパーであるか否かを判別する（ステップＳ２８）。ここで、原稿が電子ペーパーであると判別した場合、コントローラ１００は、容量検出部８０１に指令して原稿の電子ペーパーの容量を検出させる（ステップＳ２９）。ここで、容量検出部８０１は、電子ペーパー９００に対して、電子ペーパーに記憶された全頁分の電子データの容量を示す容量データを要求する信号を送り、電子ペーパー９００から送信された容量データの信号を受信して容量データを取得する。このステップＳ２９の後、突当て量の補正カウントをスタートする（ステップＳ３０）。すなわち、コントローラ１００は読取入口センサ３９と読取入口ローラ対３７の距離よりも大きく設定された所定量Ｙｍｍに相当する給紙モータ１０２の駆動パルスのカウントを開始する。
【０１０３】
次いで、コントローラ１００は給紙モータ１０２のパルスカウントが突当て量（Ｙｍｍ）に相当する所定パルスに到達したか否かを判別し（ステップＳ３１）、パルスカウントが所定パルスに到達した場合には、給紙モータ１０２を停止して（ステップＳ３２）、本体制御部１１１にレジスト停止信号を送信した後（ステップＳ３３）、読取位置８０までの搬送制御を終了する。また、給紙モータ１０２が所定パルスに到達した時点では、原稿が所定量の撓みを持って読取入口ローラ対３７に押し当てられた状態になり原稿のスキューが補正される。
【０１０４】
図１２は読取り時の原稿の搬送制御プログラムのフローチャートである。図１２において、コントローラ１００は、原稿が電子ペーパーであるか否かを判別し（ステップＳ３５）、電子ペーパーではなく、紙媒体であるものと判別した場合には、読取モータ１０３の速度を読取倍率から設定した後（ステップＳ３６）、続いて本体制御部１１１から読取開始信号を受信すると、原稿読取り動作を開始する。なお、電子ペーパーは、片面（表示面）のみに画像を表示するので、片面モードには、紙媒体および電子ペーパーの一方又は双方（混載に相当する）を読取搬送する場合が含まれる。
【０１０５】
コントローラ１００は読取モータ１０３を正転駆動して読取入口ローラ対３７および読取出口ローラ対４０を読取倍率に応じた搬送速度で駆動する（ステップＳ３７）。次いで、コントローラ１００は原稿の先端がレジストセンサ４１によって検出されたか否かを判別し（ステップＳ３８）、原稿の先端が検出されると、読取モータ１０３のパルスカウントを開始する（ステップＳ３９）。
【０１０６】
次いで、コントローラ１００は、読取モータ１０３のパルスカウント値がレジストセンサ４１とスリットガラス２２ｂ上の読取位置８０の距離に相当する表面所定パルスになったか否かを判別する（ステップＳ４０）。
【０１０７】
コントローラ１００はカウント値が表面所定パルスに到達したものと判別した場合には、原稿のスリップ率等を考慮した補正パルスが表面所定パルスになったか否かを判別する（ステップＳ４１）。
【０１０８】
コントローラ１００は補正パルスが表面所定パルスに到達したものと判別した場合には、原稿先端が読取位置８０に到達するタイミングで、本体制御部１１１に対して副走査方向有効画像領域を示すゲート信号を送信した後（ステップＳ４２）、表面ゲートカウントのカウントを開始する（ステップＳ４３）。
【０１０９】
次いで、コントローラ１００は排紙センサ５０によって原稿の先端が検出されたか否かを判別し（ステップＳ４４）、排紙センサ５０によって原稿の先端が検出されていないものと判別した場合には、ジャム検出時間オーバーか否かを判別する（ステップＳ４５）。
【０１１０】
コントローラ１００はジャム検出時間オーバーであるものと判別した場合には、排紙未達ジャムと判別して表示部４８にジャム表示を行う（ステップＳ４６）。
【０１１１】
一方、ステップＳ４４で排紙センサ５０がオンになったものと判別した場合には、図１４に示すようにコントローラ１００はレジストセンサ４１がオフであるか否かを判別し（ステップＳ４７）、レジストセンサ４１がオフでないものと判別した場合には、ジャム検出時間オーバーか否かを判別する（ステップＳ４８）。コントローラ１００はジャム検出時間オーバーであるものと判別した場合には、レジスト滞留ジャムと判別して表示部４８にジャム表示を行う（ステップＳ４９）。
【０１１２】
また、コントローラ１００はレジストセンサ４１がオフであるものと判別した場合には、読取モータ１０３のパルスをカウントする後端カウントをスタートする（ステップＳ５０）。
【０１１３】
次いで、コントローラ１００は読取モータ１０３のパルスのカウント値が表面所定パルスに達したか否かを判別し（ステップＳ５１）、表面所定パルスに達したものと判別した場合には、ゲートカウント値が原稿長よりも大きくなったか否かを判別する（ステップＳ５２）。
【０１１４】
コントローラ１００はゲートカウント値が原稿長よりも大きくなったものと判別した場合には、副走査方向有効画像領域を示すゲート信号の送信を停止する（ステップＳ５３）。
【０１１５】
次いで、コントローラ１００は排紙センサ５０がオフになったか否かを判別し（ステップＳ５４）、排紙センサ５０がオフになっていないものと判別した場合には、ジャム検出時間オーバーか否かを判別する（ステップＳ５５）。
【０１１６】
コントローラ１００はジャム検出時間オーバーであるものと判別した場合には、排紙滞留ジャムと判別して表示部４８にジャム表示を行う（ステップＳ５６）。また、コントローラ１００は排紙センサ５０がオフになったものと判別した場合には、排紙完了を示す信号を本体制御部１１１に送信して（ステップＳ５７）、処理を終了する。
【０１１７】
一方、ステップＳ３５で原稿が電子ペーパーであるものと判別した場合には、図１４に示すように、読取モータ１０３の速度を通信読取部８１″の所要通信時間から設定した後（ステップＳ３１１）、続いて本体制御部１１１から読取開始信号を受信すると、読取モータ１０３を正転駆動して読取入口ローラ対３７および読取出口ローラ対４０を所要通信時間に応じた搬送速度で駆動する（ステップＳ３１２）。ここで、前記所要通信時間は、ステップＳ２８で検出された電子ペーパーの容量に基づいて、コントローラ１００が算出したものである。また、ステップＳ３１１では読取搬送に係るローラ間の搬送圧の設定も行う。
【０１１８】
次いで、コントローラ１００は原稿の先端がレジストセンサ４１によって検出されたか否かを判別し（ステップＳ３１３）、原稿の先端が検出されると、読取モータ１０３のパルスカウントを開始する（ステップＳ３１４）。
【０１１９】
次いで、コントローラ１００は、読取モータ１０３のパルスカウント値がレジストセンサ４１とスリットガラス２２ｂ上の読取位置８０の距離に相当する表面所定パルスになったか否かを判別する（ステップＳ３１５）。
【０１２０】
コントローラ１００はカウント値が表面所定パルスに到達したものと判別した場合には、原稿のスリップ率等を考慮した補正パルスが表面所定パルスになったか否かを判別する（ステップＳ３１６）。
【０１２１】
コントローラ１００は補正パルスが表面所定パルスに到達したものと判別した場合には、原稿先端が読取位置８０に到達するタイミングで、本体制御部１１１に対して電子ペーパーの読取搬送開始を示す信号を送信する（ステップＳ３１７）。
この信号に基づいて、通信読取部８１″は、電子ペーパー９００に対して全頁分の電子データを要求する信号を送信し、電子ペーパー９００は、通信読取部８１″に対してその全頁分の電子データを一括して送信することになる。この後、通信読取部８１″は、予めコントローラ１００から本体制御部１１１を介して送信された容量データ（図１１のステップＳ２８においてコントローラ１００が容量検出部８０１より取得したもの）と、電子ペーパー９００から送信された電子データの容量とを比較し、一致した場合にはコントローラ１００に対し、電子ペーパー９００の全頁分の読取終了を示す信号を送信する。
なお、通信読取部８１″が受信した電子ペーパー９００の電子データの容量の情報を本体制御部１１１に送り、本体制御部１１１が前記容量データと前記電子データの容量の情報とを比較し、一致した場合には本体制御部１１１からコントローラ１００に対して前記読取終了を示す信号を送信するようにしても良い。
【０１２２】
次いで、コントローラ１００は排紙センサ５０によって原稿の先端が検出されたか否かを判別し（ステップＳ３１８）、排紙センサ５０によって原稿の先端が検出されていないものと判別した場合には、ジャム検出時間オーバーか否かを判別する（ステップＳ３１９）。
【０１２３】
コントローラ１００はジャム検出時間オーバーであるものと判別した場合には、排紙未達ジャムと判別して表示部４８にジャム表示を行う（ステップＳ３２０）。
【０１２４】
一方、ステップＳ３１８で排紙センサ５０がオンになったものと判別した場合には、図１５に示すように、コントローラ１００はレジストセンサ４１がオフであるか否かを判別し（ステップＳ３２１）、レジストセンサ４１がオフでないものと判別した場合には、ジャム検出時間オーバーか否かを判別する（ステップＳ３２２）。コントローラ１００はジャム検出時間オーバーであるものと判別した場合には、レジスト滞留ジャムと判別して表示部４８にジャム表示を行う（ステップＳ３２３）。
【０１２５】
また、コントローラ１００はレジストセンサ４１がオフであるものと判別した場合には、読取モータ１０３のパルスをカウントする後端カウントをスタートする（ステップＳ３２４）。
【０１２６】
次いで、コントローラ１００は読取モータ１０３のパルスのカウント値が表面所定パルスに達したか否かを判別し（ステップＳ３２５）、表面所定パルスに達したものと判別した場合には、ゲートカウント値が原稿長よりも大きくなったか否かを判別する（ステップＳ３２６）。
【０１２７】
コントローラ１００はゲートカウント値が原稿長よりも大きくなったものと判別した場合には、次いで通信読取部８１″の読取りが終了したか否かを判別する（ステップＳ３２７）。具体的には、本体制御部１１１からコントローラ１００に対して、電子ペーパー９００の全頁分の電子データの読取終了を示す信号が送られる。この信号に基づいて、ステップＳ３２７で通信読取部８１″の読取りが終了していないと判別した場合、コントローラ１００は読取エラーと判別して表示部４８にエラー表示を行う（ステップＳ３２８）。
【０１２８】
一方、ステップＳ３２７で通信読取部８１″の読取りが終了したものと判別した場合、コントローラ１００は本体制御部１１１に対して電子ペーパーの読取搬送終了を示す信号を送信する（ステップＳ３２９）。
【０１２９】
次いで、コントローラ１００は排紙センサ５０がオフになったか否かを判別し（ステップＳ３３０）、排紙センサ５０がオフになっていないものと判別した場合には、ジャム検出時間オーバーか否かを判別する（ステップＳ３３１）。
【０１３０】
コントローラ１００はジャム検出時間オーバーであるものと判別した場合には、排紙滞留ジャムと判別して表示部４８にジャム表示を行う（ステップＳ３３２）。また、コントローラ１００は排紙センサ５０がオフになったものと判別した場合には、排紙完了を示す信号を本体制御部１１１に送信して（ステップＳ３３３）、処理を終了する。
【０１３１】
なお、両面モードの場合には、片面の読取りが終了した後、読取位置８０を抜けた原稿の先端が排紙ローラ４２に到達する前に反転ソレノイド１０５をオンにして切換爪４４を図２中、二点鎖線で示す位置に切換えて反転モータ１０４を正転駆動する。この正転駆動により、原稿を図２中、矢印Ｂで示すようにスイッチバック経路４６ａ上に搬送する。この後、切換爪４４を図２中、実線で示す位置に切換えて反転モータ１０４を逆転駆動し、原稿を図２中、矢印Ｃで示すように再給紙通路４６ｂに搬送する。こうして、一旦スイッチバック搬送した片面読取り後の原稿を読取位置８０へ再搬送して他の一面を読取らせる。さらに頁順を揃えるため、両面読取り後の原稿を再度スイッチバック経路４６ａ上に搬送し、再給紙通路４６ｂを通して反転させ、読取位置８０では読取りを行わずに排紙トレイ４３に排紙する。すなわち、両面モードの場合には、読取位置８０を３回通って排紙されることになる。
【０１３２】
ここで、プレフィード動作（片面読取り時）を図１６のフローチャートに基づいて説明する。
【０１３３】
図１６において、コントローラ１００は、本体制御部１１１から開始読取開始信号を受信して読取りが開始されたか否かを判別する（ステップＳ２２２）。なお、前述のように、片面モードには、紙媒体および電子ペーパーの一方又は双方を搬送する場合が含まれる。
【０１３４】
次いで、コントローラ１００は突当てセンサ３５がオフであるか否かを判別し（ステップＳ２２６）、突当てセンサ３５によって先行原稿の後端を検知してからの給紙モータ１０２の駆動パルスのカウントを開始する後端カウントをスタートする（ステップＳ２２７）。
【０１３５】
次いで、コントローラ１００は後端カウントが所定パルスになったか否かを判別する（ステップＳ２２８）。この所定パルスは突当てセンサ３５によって原稿の後端が検知されてからプルアウトローラ対３６を通過するまでの給紙モータ１０２の駆動パルスに設定されている。
【０１３６】
コントローラ１００はステップＳ２２８で後端カウントが所定パルス以上になったものと判別した場合には、給紙モータ１０２の逆転駆動を停止し（ステップＳ２２９）、次原稿テーブル２４上に次原稿があるか否かを判別する（ステップＳ２３０）。
【０１３７】
原稿テーブル２４上に次原稿がある場合には、図９〜図１１のフローチャートに示す処理を実行して次原稿の給紙を行う（ステップＳ２３４）。
【０１３８】
また、ステップＳ２３０で次原稿がない場合には、呼出しモータ１０１を時計回転方向に正転駆動して（ステップＳ２３１）、ストッパ爪２８を図２中、二点鎖線で示す位置に復帰させた後（ステップＳ２３２）、呼出しモータ１０１の駆動を停止する（ステップＳ２３３）。
【０１３９】
このような本発明の実施の一形態としての複写機２１は、原稿が、画像を表示する電子ペーパー表示器９０４、その画像の電子データを記憶するＩＣチップ記憶素子９０２ｄおよび外部と通信するためのコイルアンテナ９０１等を有する電子ペーパー９００と紙媒体のいずれか又は双方の原稿を読取位置８０へ搬送するＡＤＦ２３の搬送部と、アンテナ部８０２ａを有し、原稿と通信して電子ペーパーであるか、紙媒体であるかを判別する電子媒体検出部８０２等と、その判別に基づいてＡＤＦ２３の搬送を制御するコントローラ１００と、アンテナ部８１ｇ等を有し、読取位置８０でＩＣチップ記憶素子９０２ｄに記憶された電子データを読取る通信読取部８１″と、読取位置８０で紙媒体の画像を光学的に読取り、電子データを取得する光学読取部８１′と、前記判別に基づいて光学読取部８１′と通信読取部８１″の読取りを制御する本体制御部１１１と、を備えた構成を有している。なお、呼出しコロ３１、給紙ベルト３２、リバースローラ３３、プルアウトローラ対３６等がＡＤＦ２３の搬送部に相当する。この構成は、請求項１に記載の発明の実施の一形態に相当する。
【０１４０】
この構成により、紙媒体のみならず、電子ペーパーについてもＡＤＦ２３によって読取位置８０に搬送し、通信読取部８１″によって画像品質を低下させずに電子データ（電子データ）を取得するか又は電子ペーパー表示器９０４によって表示画像を光学的に読取ることができる。また、電子媒体検出部８０２の検出情報に基づいて媒体種別を判別し、判別結果に基づいて電子ペーパーと紙媒体を読取位置へ搬送することができる。この搬送では、媒体種別に基づいて搬送圧、搬送速度等を変更することになる。
【０１４１】
また、本実施の形態では、前記判別に基づいて、本体制御部１１１は、読取位置８０で光学読取部８１′に紙媒体の画像を光学的に読取らせ、通信読取部８１″に電子ペーパーの電子データを読取らせる構成を有している。この構成は、請求項２に記載の発明の実施の一形態に相当する。この構成により、媒体種別に応じて適切な読取手段を選択することができる。
【０１４２】
また、本実施の形態では、容量検出部８０１および通信読取部８１″に対して搬送方向上流の搬送路近傍に電子媒体検出部８０２を配置した構成を有している。この構成は、請求項３に記載の発明の実施の一形態に相当する。この構成により、媒体種別を判別してから紙媒体と異なる搬送制御に切換えるまでに十分な処理時間が得られる。
【０１４３】
また、本実施の形態では、アンテナ部８０１ａ等を有し、電子ペーパー９００と通信して電子ペーパー９００に記憶された電子データの容量を検出する容量検出部８０１等を備え、本体制御部１１１（又はコントローラ１００）を、容量検出部８０１により検出された容量データに基づいて通信読取部８１″が前記電子データを読取るときの所要通信時間を算出する読取時間算出手段として機能させ、コントローラ１００を、前記所要通信時間に基づいて電子ペーパーの搬送を制御する搬送制御手段として機能させた構成を有している。この構成は、請求項４に記載の発明の実施の一形態に相当する。
【０１４４】
この構成により、電子ペーパーに記憶された電子データの容量に応じて適切な搬送制御を行うことができる。
【０１４５】
また、本実施の形態は、コントローラ１００は、本体制御部１１１により算出された所要通信時間に基づいて、ＡＤＦ２３による電子ペーパーの読取り中の搬送速度を設定するように制御する構成を有している。この構成は、請求項５に記載の発明の実施の一形態に相当する。この構成により、例えば、所要通信時間が所定の時間より長い場合に読取搬送中の搬送速度を紙媒体に比べて減速し、所要通信時間を確保することができる。
【０１４６】
また、本実施の形態は、読取位置８０および通信読取部８１″の位置に対して搬送方向上流の搬送路近傍に容量検出部８０１を配置した構成を有している。この構成は、請求項７に記載の発明の実施の一形態に相当する。この構成により、搬送路近傍に電子媒体検出部８０２を設けているので、搬送路上を搬送される電子ペーパーとの距離を短縮し、通信のための電力消費を抑えることができる。また、電子ペーパーの容量に基づいて所要通信時間を算出し、紙媒体と異なる適切な搬送制御に切換えるまでに十分な処理時間が得られる。
【０１４７】
また、本実施の形態は、コンタクトガラス２２ａ下方の所定範囲において前述の第１走行体および第２走行体によって通信読取部８１″を移動させ、コンタクトガラス２２ａに載置された電子ペーパーを読取る構成を有している。この構成は、請求項１０に記載の発明の実施の一形態に相当する。この構成により、固定読取方式でも電子ペーパーの電子データを一括して読取ることができる。これは、少数の電子ペーパー（例えば、１枚）を効率的に読取る場合に好適である。
【０１４８】
また、本実施の形態では、通信読取部８１″又は光学読取部８１′により取得された電子データに基づいて所定の記録紙に画像を形成するための感光体ドラム８３、現像装置８６等を備えた構成を有している。この構成は、請求項１１に記載の発明の実施の一形態に相当する。この構成により、電子ペーパーと紙媒体の双方を読取って所定の転写紙に画像を形成することが可能な複写機２１を実現できる。
【０１４９】
また、本実施の形態では、コントローラ１００の実行する図９のステップＳ８等は、電子媒体検出部８０２の検出情報に基づいて前述の構成を有する電子ペーパー９００と紙媒体とを判別するための判別制御機能を実現させる。同じく、ステップＳ３４、Ｓ３５、Ｓ３６、Ｓ３１１等は、前記判別制御機能に基づいて、ＡＤＦ２３が電子ペーパー又は紙媒体を読取位置８０へ搬送するように制御する搬送制御機能を実現させる。同じく、ステップＳ３１７〜Ｓ３２９等は、通信読取部８１″が、読取位置８０で電子ペーパー９００に記憶された電子データを読取るよう制御する読取制御機能を実現させる。同じく、ステップＳ３６〜Ｓ５４等は、光学読取部８１′が、読取位置８０で紙媒体の画像を光学的に読取るよう制御する読取制御機能を実現させる。この構成は、請求項１２に記載の発明の実施の一形態に相当する。
【０１５０】
この構成により、紙媒体および電子ペーパーの双方を読取ることができる。また、媒体種別に応じて読取位置への搬送を行うことができる。
【０１５１】
また、本実施の形態では、コントローラ１００の実行する図１１のステップＳ２８等は、容量検出部８０１が、電子ペーパー９００と通信して電子ペーパー９００に記憶された電子データの容量を検出するように制御する容量検出制御機能を実現させる。同じく、ステップＳ２８等は、前記容量検出制御機能により検出された電子データの容量に基づいて通信読取部８１″が前記電子データを読取るときの所要通信時間を算出する所要時間算出機能を実現させる。同じく、ステップＳ３１１等は、前記読取時間算出機能により算出された所要通信時間に基づいてＡＤＦ２３による電子ペーパーの搬送速度を制御する搬送速度制御機能を実現させる。この構成は、請求項１３に記載の発明の実施の一形態に相当する。
【０１５２】
この構成により、電子ペーパーに記憶された電子データの容量に応じて適切な搬送速度を設定することができる。
【０１５３】
また、本実施の形態では、電子ペーパー９００は、頁ごとの画像を表示する電子ペーパー表示器９０４、頁ごとに区切られた電子データを記憶するＩＣチップ記憶素子９０２ｄ、外部と通信するためのアンテナコイル９０１、通信制御回路９０２ｃ等を備え、通信読取部８１″からの信号に応じて全頁分の前記電子データを送信するようにした構成を有している。この構成は、請求項１４に記載の発明の実施の一形態に相当する。この構成により、通信読取部８１″は全頁分の電子データを原稿１枚分の搬送動作で一括して読取ることができるので、ＡＤＦ２３による効率的な読取搬送を実現できる。
【０１５４】
また、本実施の形態では、電子ペーパー９００のＩＣチップ記憶素子９０２ｄは、全頁分の電子データの容量を示す容量データを記憶し、容量検出部８０１からの信号に応じて前記容量データを送信するようにした構成を有している。この構成は、請求項１５に記載の発明の実施の一形態に相当する。この構成により、コントローラ１００は、前記容量データに基づいて通信読取部８１″の所要通信時間を算出し、ＡＤＦ２３の搬送速度を設定するので、媒体種別と容量に応じて適切な搬送制御を行うことができる。
【０１５５】
なお、前述した実施形態では、媒体種別の判別により電子ペーパーと紙媒体とで異なる搬送制御を行うようにした場合について説明したが、本発明はこれに限らず、例えば、電子ペーパーと紙媒体とが混載された場合、本体制御部１１１が、通信読取部８１″と光学読取部８１′の双方によって読取りを行い、双方の読取りが成功した場合には、光学読取部８１′により読取られた画像を廃棄するように制御する読取制御手段として機能するように構成しても良い。この構成は、請求項３に記載の発明の実施の一形態に相当する。例えば、電子ペーパーに２頁分の電子データが記憶されている場合、紙媒体と同様に光学読取部８１′で読取りを行うため、電子ペーパーの表面に表示されている第１頁の光学読取りが完了すると、前述のスイッチバック経路４６ａに搬送し、スイッチバック経路４６ａを通して反転させ、読取りを行わずに読取位置８０を通過させ、再度スイッチバック経路４６ａからスイッチバック経路４６ａを通して裏面から表面に反転させた後、表示する頁を切替えて第２頁の光学読取りを行うことになる。
【０１５６】
ここでは、例えば、図９のステップＳ８の処理、図１２のステップＳ３５の処理および図１４、図１５の一連の処理を省略しても良い。また、図１１のステップＳ２８の処理に替えて、電子ペーパー９００の頁更新を要求する処理を設け、図１５のステップＳ３２７の処理に替えて、最終頁のチェック処理を設けても良い。また、容量検出部８０１に替えて又は加えて、頁更新部を設けても良い。この頁更新部は、アンテナ部（図６の８０１ａに相当する）、通信制御部（図６の８０１ｂに相当する）、および現在の頁番号の情報と頁カウンタとを記憶するための記憶部（例えば、ＩＣチップ記憶素子）を有し、電子ペーパー９００に対して頁更新および頁ごとの容量更新を要求する信号を送信すると共に、電子ペーパー９００から送信された更新後の頁番号（頁情報）および容量（容量情報）を受信して記憶するものとする。この更新後の頁番号および容量の情報はコントローラ１００および本体制御部１１１に送られるものとする。
【０１５７】
また、電子ペーパー９００は、前記頁更新部からの信号に応じて電子ペーパー表示器９０４の表示頁、表示領域９０８、９０９の表示を更新すると共に、前記頁更新部に対して更新後の表示領域９０８、９０９の表示内容を示す信号を送信するものとする。
【０１５８】
また、コントローラ１００（又は本体制御部１１１）は、前記更新後の容量情報に基づいて通信読取部８１″の所要通信時間を算出し、コントローラ１００は、その所要通信時間に基づいて搬送速度を制御する。例えば、その所要通信時間が紙媒体を搬送するときの搬送速度よりも低速である場合、コントローラ１００は、その所要通信時間に基づいて設定した搬送速度にて双方の媒体を搬送する。また、本体制御部１１１は、前記更新後の頁情報に基づいて最終頁であるか否かを判別し、最終頁である場合に所定の信号をコントローラ１００に対して送信する。コントローラ１００は、前記所定の信号を受信したか否かに基づいて前記最終頁のチェック処理を行い、本体制御部１１１に対して読取搬送終了を通知する。本体制御部１１１は、通信読取部８１″により読取られた電子データを優先して処理する。
【０１５９】
前述の構成により、例えば、光学読取部８１′により紙媒体を光学的に読取る場合と同様の搬送制御を行いながら、通信読取部８１″により頁ごとの電子データを読取ることができる。よって、搬送制御処理を簡素化すると共に通信読取部８１″の所要通信時間を均一化して読取エラーを回避し、画像品質の劣化を抑制することができる。
【０１６０】
また、前述した実施形態では、コントローラ１００は、前述のように算出した所要通信時間に基づいて搬送速度を制御した場合について説明したが、例えば、ＡＤＦ２３による電子ペーパーの搬送を読取位置で一旦停止し、通信読取部８１″より電子ペーパーの全容量が読取られた後、その搬送を再開するように制御する構成としても良い。この構成は、請求項６に記載の発明の実施の一形態に相当する。
【０１６１】
この構成により、通信読取部８１″の電力消費を抑制しながら確実に電子ペーパーの電子データを取得することができる。また、電子ペーパーの全容量が読取られた後に再搬送するので、読取エラーで読取りが中断されることを抑制できる。なお、前述のように一旦停止した場合、再搬送のタイミングは、容量検出部８０２の検出情報に基づいて取得された全頁分の電子データの容量と、通信読取部８１″が読取った電子データの容量とが一致することにより決定される。
【０１６２】
また、前述した実施形態では、電子媒体検出部８０２を呼出しコロ３１近傍の１箇所に設けた場合について説明したが、本発明はこのほかに、通信読取部８１″および容量検出部８０１の搬送方向上流に複数箇所に設けた構成としても良い。この構成により、電子媒体検出部８０２の検出不良に対応して複写機２１の信頼性を向上させることができる。
【０１６３】
また、前述した実施形態では、電子媒体検出部８０２が電子ペーパー９００と通信して媒体種別データを取得するようにした場合について説明したが、本発明はこのほかに、例えば、電子ペーパー９００を構成するポリマー・フィルムと紙媒体の反射率の差に基づいて既存の光学センサ（例えば、分離センサ５１）により、電子ペーパーと紙媒体を判別するように構成しても良い。この構成によれば、新たな部品を加えることなく、媒体種別を検出することができる。あるいは、電子ペーパー９００の表示面又は周縁に所定のバーコードを設け、電子媒体検出部８０２に替えてバーコードリーダを配置するように構成しても良い。この構成によれば、前記バーコードの有無に基づいて媒体種別を検出することができる。
【０１６４】
また、前述した実施形態では、紙媒体および電子ペーパーに対してスキュー補正のための突当て動作と、レジスト停止動作を行うようにした場合について説明したが、本発明はこのほかに、通信読取部８１″による電子ペーパーの読取り時には、突当て動作およびレジスト停止動作を行わずに搬送速度を上げるようにしても良い。これは、通信による電子ペーパーの読取りではスキューの影響が少ないことによる。
【０１６５】
次に、本発明の他の実施の形態を図１７〜図２６に示す。図１７〜図１９に基づいてＡＤＦ２３の構成を説明する。図１７はＡＤＦ２３の概略構成図である。図１８は電子媒体・容量検出部８０２′の概略を示すブロック図である。図１９はＡＤＦ２３の制御系の概略を示すブロック図である。なお、本実施の形態は、電子媒体・容量検出部８０２′の構成、通信読取部８１″の配置を除き、前述した実施の一形態と概ね同様であるため、同一構成には同一符号を付与して説明を省略する。
【０１６６】
図１７において、電子媒体・容量検出部８０２′は、電子媒体検出部８０２の媒体種別検出機能と容量検出部８０１の容量検出機能とを併せ持ち、呼出しコロ３１の搬送方向下流の搬送路近傍に配されている。図１８に示すように、電子媒体・容量検出部８０２′は、アンテナ部８０２ａと、通信制御部８０２ｂと、媒体種別記憶部８０２ｃと、容量記憶部８０１ｃと、を有する構成である。アンテナ部８０２ａは、例えば、コイルアンテナを備え、電子ペーパー９００に対して磁界を発生し、電磁結合によって起電力を供給する。また、アンテナ部８０２ａを介して所定の信号を電子ペーパー９００に送信する。通信制御部８０２ｂは、後述する変復調回路、通信制御回路等を備え、電子ペーパー９００に対してＡＳＫ、ＦＳＫ、ＰＳＫ等で変調した信号（例えば、媒体種別を示す媒体種別データ、全頁分の電子データの容量を示す容量データを要求する信号）を送信すると共に、電子ペーパー９００からの信号（（例えば、前記媒体種別データ、前記容量データの信号））を復調する。媒体種別記憶部８０２ｃは、電子ペーパー９００から送信された媒体種別データを示す信号を復調して得た媒体種別データを記憶する。容量記憶部８０１ｃは、電子ペーパー９００から送信された容量データを示す信号を復調して得た容量データを記憶する。この媒体種別データおよび容量データは、コントローラ１００に送られる。この媒体種別データに基づいて、コントローラ１００は原稿が電子ペーパー９００であるか、紙媒体であるかを判別する。また、この容量データに基づいて、コントローラ１００は通信読取部８１″が全頁分の電子データを読取るときの所要通信時間を算出し、この所要通信時間に基づいて読取ローラ１０３の搬送速度を算出する。
【０１６７】
また、図１７において、通信読取部８１″は、光学読取部８１′の読取位置８０と排紙トレイ４３との間に配されている。ここでは、光学読取部８１′と通信読取部８１″はそれぞれ独立に構成されている。通信読取部８１″をＡＤＦ２３側に設けることにより、図１９に示すように通信読取部８１″の制御はコントローラ１００にて行われる。また、ＡＤＦ２３の機構部と共に通信読取部８１″をメンテナンスすることができる。さらに、通信読取部８１″による読取り動作では搬送スキューの影響がないため、スキュー補正のための突当て動作や読取位置８０より上流でのレジスト停止を行わないように制御することができる。この場合、搬送スキューによるジャムが発生せずに排紙トレイ４３へと搬送されたときに、例えば、排紙ローラ４２の近傍で確実に通信による読取りを行うことができる。なお、読取位置８０よりも搬送方向下流で電子ペーパーの読取りを行うので、次原稿の搬送に対する影響が低減される。
【０１６８】
図１９において、コントローラ１００は、電子媒体・容量検出部８０２′により検出された前述の媒体種別データおよび容量データを取得し、これに基づいて通信読取部８１″の搬送制御および読取制御を行う構成を有している。ここでは、スキュー補正のための突当て動作や読取位置８０より上流でのレジスト停止を行わないようにしている。また、前記容量データに基づいて通信読取部８１″の所要通信時間を算出し、この所要通信時間に基づいて読取りの搬送速度を設定し、排紙ローラ４２の近傍で読取りを開始するようにしている。
【０１６９】
また、図１９において、光学読取部８１′は本体制御部１１１と接続され、通信読取部８１″はコントローラ１００と接続されている。通信読取部８１″により取得された電子ペーパー９００の電子データはコントローラ１００を介して本体制御部１１１に送られる。
【０１７０】
次に、図２０〜図２６のフローチャートに基づいて原稿の搬送動作を説明する。なお、図２０〜図２６のフローチャートはコントローラ１００によって制御される搬送制御プログラムである。ここでは、原稿（紙媒体又は電子ペーパー）の片面を読取搬送する片面モードの搬送動作のうち、電子ペーパーに関するものを示す。
【０１７１】
図２０において、ステップＳ１〜Ｓ７は前述した実施の一形態（図９のステップＳ１〜Ｓ７に相当する）と同様であるため、説明を省略する。
【０１７２】
ステップＳ７において原稿長さ情報を取得した後、コントローラ１００は、電子媒体・容量検出部８０２′の検出情報に基づいて媒体種別情報および電子ペーパーの容量情報を取得する（ステップＳ８）。具体的には、コントローラ１００は、電子媒体・容量検出部８０２′から原稿に対して所定の信号（媒体種別を示す媒体種別データを要求する信号）を送信させ、これに対する応答があれば、次いで所定の信号（電子ペーパーに記憶された電子データの全頁分の容量を示す容量データを要求する信号）を送信させ、媒体種別データおよび容量データを取得する。次いで、コントローラ１００は給紙モータ１０２を時計回転方向に正転駆動する（ステップＳ９）。このため、呼出しコロ３１によって原稿束Ｐから最上位に位置する原稿が分離された後、給紙ベルト３２およびリバースローラ３３によって最上位に位置する原稿が分離される。
【０１７３】
次いで、コントローラ１００は突当てセンサ３５がオンしたか否かを判別し（ステップＳ１０）、突当てセンサ３５がオンしない場合には、ジャム検出時間オーバーか否かを判別する（ステップＳ１１）。コントローラ１００はジャム検出時間オーバーであるものと判別した場合には、突当て未達ジャムと判別して表示部４８にジャム表示を行う（ステップＳ１２）。
【０１７４】
一方、ステップＳ１０で突当てセンサ３５がオンになったものと判別した場合には、ステップＳ８で取得した媒体種別情報に基づいて原稿が電子ペーパーであるか否かを判別し（ステップＳ１３）、電子ペーパーでないと判別した場合には、突当て量をカウントする（ステップＳ１４）。すなわち、コントローラ１００は突当てセンサ３５とプルアウトローラ対３６の距離よりも大きく設定された所定量Ｘｍｍに相当する給紙モータ１０２の駆動パルスのカウントを開始する。
【０１７５】
この後、図２１のステップＳ１５に移る。ここで、ステップＳ１５〜Ｓ１８は前述した実施の一形態（図１０のステップＳ１４〜Ｓ１７に相当する）と同様であるため、説明を省略する。また、図２３のステップＳ１９〜Ｓ２７は前述した実施の一形態（図１１のステップＳ１９〜Ｓ２７に相当する）と同様であるため、説明を省略する。
【０１７６】
ステップＳ２５で読取入口センサ３９がオンになったものと判別した場合には、コントローラ１００は突当て量の補正カウントをスタートする（ステップＳ２９）。
【０１７７】
次いで、コントローラ１００は給紙モータ１０２のパルスカウントが突当て量（Ｙｍｍ）に相当する所定パルスに到達したか否かを判別し（ステップＳ３０）、パルスカウントが所定パルスに到達した場合には、給紙モータ１０２を停止して（ステップＳ３１）、本体制御部１１１にレジスト停止信号を送信した後（ステップＳ３２）、読取位置８０までの搬送制御を終了する。
【０１７８】
一方、ステップＳ１３において原稿が電子ペーパーであると判別した場合に、コントローラ１００は呼出しモータ１０１を反時計回転方向に逆転駆動した後（ステップＳ１３１）、呼出しコロ３１が退避位置に移動したか否かを判別し（ステップＳ１３２）、呼出しコロ３１が退避位置に移動した場合には、呼出しモータ１０１を停止する（ステップＳ１３３）。
【０１７９】
次いで、コントローラ１００は、給紙モータ１０２の電流の切換えをオンにして給紙モータ１０２を高速で駆動する（ステップＳ１３４）。給紙モータ１０２が逆転駆動されると、プルアウトローラ対３６は駆動されるが、プーリ１４０のワンウェイクラッチの作用により呼出しコロ３１と給紙ベルト３２に駆動力は伝達されないので、原稿はプルアウトローラ対３６によって搬送される。
【０１８０】
次いで、コントローラ１００は原稿幅センサ３８がオンしたか否かを判別し（ステップＳ１３５）、原稿幅センサ３８がオンした場合には、コントローラ１００は原稿幅センサ３８からの検出情報に基づいて原稿の幅情報を取得する（ステップＳ１３６）。
【０１８１】
このとき、原稿はプルアウトローラ対３６および読取入口ローラ対３７に挟持されて読取位置８０に向かって搬送される。この際には原稿搬送速度を高速に設定されるので、原稿を読取位置８０より下流に送り込む処理時間の短縮を図ることができる。特に、２枚目以降の原稿ではこの高速搬送により前原稿との紙間を短縮することで生産性を向上させることができる。
【０１８２】
次いで、コントローラ１００は混載モードがオフになっているか否かを判別し（ステップＳ１３７）、混載モードがオフになっている場合には、本体制御部１１１に原稿テーブル２４上に積載された原稿束Ｐのサイズ情報を送信する（ステップＳ１３８）。
【０１８３】
次いで、コントローラ１００は読取入口センサ３９によって原稿の先端が検出されたか否かを判別し（ステップＳ１３９）、読取入口センサ３９がオンしない場合には、ジャム検出時間オーバーか否かを判別する（ステップＳ１４０）。コントローラ１００はジャム検出時間オーバーであるものと判別した場合には、先端検出未達ジャムと判別して表示部４８にジャム表示を行う（ステップＳ１４１）。
【０１８４】
一方、ステップＳ１３９で読取入口センサ３９がオンになったものと判別した場合には、給紙モータを停止させ、読取モータ１０３を駆動させるためのカウントをスタートする（ステップＳ１４２）。
【０１８５】
次いで、コントローラ１００は給紙モータ１０２の停止位置（読取搬送を開始する位置）に相当する所定パルスに到達したか否かを判別し（ステップＳ１４３）、パルスカウントが所定パルスに到達した場合には、給紙モータ１０２を停止する（ステップＳ１４４）。
【０１８６】
次いで、コントローラ１００は読取モータ１０３を正転駆動して読取入口ローラ対３７および読取出口ローラ対４０を読取り時よりも高速で駆動する（ステップＳ１４５）。これは、通信による読取りを読取位置８０より下流で行うためである。次いで、コントローラ１００は原稿の先端が読取出口センサ４７によって検出されたか否かを判別し（ステップＳ１４６）、原稿の先端が検出されると、読取モータ１０３のパルスカウントを開始する（ステップＳ１４７）。
【０１８７】
次いで、コントローラ１００は、読取モータ１０３のパルスカウント値が読取出口センサ４７と通信読取部８１″による読取開始位置（不図示）との距離に相当する所定パルスになったか否かを判別する（ステップＳ１４８）。ここでは、読取出口センサ４７と排紙センサ５０の間に前記読取開始位置を設定している。
【０１８８】
コントローラ１００は、パルスカウント値が所定パルスに到達したものと判別した場合には、読取モータ１０３を停止して（ステップＳ１４９）、本体制御部１１１に対してレジスト停止信号を送信する（ステップＳ１５０）。
【０１８９】
図２５、図２６は読取り時の原稿の搬送制御プログラムのフローチャートである。ここでは片面モードの場合を示す。この片面モードには、紙媒体および電子ペーパーの一方又は双方（混載に相当する）を読取搬送する場合が含まれる。
図２５において、コントローラ１００は、原稿が電子ペーパーであるか否かを判別し（ステップＳ１５１）、電子ペーパーではなく、紙媒体であるものと判別した場合には、前述した実施の一形態（図１２、図１３のステップＳ３６〜Ｓ５７に相当する）を適用し、読取モータ１０３の速度を読取倍率から設定した後、続いて本体制御部１１１から読取開始信号を受信すると、原稿読取り動作を実行する。
【０１９０】
一方、ステップＳ１５１で原稿が電子ペーパーであるものと判別した場合には、読取モータ１０３の速度を通信読取部８１″の所要通信時間から設定した後（ステップＳ１５２）、続いて本体制御部１１１から読取開始信号を受信すると、読取モータ１０３を正転駆動して読取入口ローラ対３７および読取出口ローラ対４０を所要通信時間に応じた搬送速度で駆動する（ステップＳ１５３）。ここで、前記所要通信時間は、図２０のステップＳ８で検出された電子ペーパーの容量に基づいて、コントローラ１００が算出したものである。
【０１９１】
次いで、コントローラ１００は本体制御部１１１に対して電子ペーパーの読取搬送開始を示す信号を送信する（ステップＳ１５４）。
【０１９２】
この信号に基づいて、通信読取部８１″は、電子ペーパー９００に対して全頁分の電子データを要求する信号を送信し、電子ペーパー９００は、通信読取部８１″に対してその全頁分の電子データを一括して送信することになる。この後、通信読取部８１″は、予めコントローラ１００から送られた容量データ（図２０のステップＳ８においてコントローラ１００が電子媒体・容量検出部８０２′より取得したもの）と、電子ペーパー９００から送信された電子データの容量とを比較し、一致した場合にはコントローラ１００に対し、電子ペーパー９００の全頁分の読取終了を示す信号を送信する。
【０１９３】
なお、通信読取部８１″が受信した電子ペーパー９００の電子データの容量の情報をコントローラ１００に送り、コントローラ１００が前記容量データと前記電子データの容量の情報とを比較し、電子ペーパー９００の読取終了を判別するようにしても良い。
【０１９４】
次いで、コントローラ１００は排紙センサ５０によって原稿の先端が検出されたか否かを判別し（ステップＳ１５５）、排紙センサ５０によって原稿の先端が検出されていないものと判別した場合には、ジャム検出時間オーバーか否かを判別する（ステップＳ１５６）。
【０１９５】
コントローラ１００はジャム検出時間オーバーであるものと判別した場合には、排紙未達ジャムと判別して表示部４８にジャム表示を行う（ステップＳ１５７）。
【０１９６】
一方、ステップＳ１５５で排紙センサ５０がオンになったものと判別した場合には、コントローラ１００は読取出口センサ４７がオフであるか否かを判別し（ステップＳ１５８）、読取出口センサ４７がオフでないものと判別した場合には、ジャム検出時間オーバーか否かを判別する（ステップＳ１５９）。コントローラ１００はジャム検出時間オーバーであるものと判別した場合には、レジスト滞留ジャムと判別して表示部４８にジャム表示を行う（ステップＳ１６０）。
【０１９７】
また、コントローラ１００は読取出口センサ４７がオフであるものと判別した場合には、読取モータ１０３のパルスをカウントする後端カウントをスタートする（ステップＳ１６１）。
【０１９８】
次いで、コントローラ１００は読取モータ１０３のパルスのカウント値が所定パルスに達したか否かを判別し（ステップＳ１６２）、所定パルスに達したものと判別した場合には、通信読取部８１″の読取りが終了したか否かを判別する（ステップＳ１６３）。具体的には、通信読取部８１″からコントローラ１００に対して、電子ペーパー９００の全頁分の電子データの読取終了を示す信号が送られる。この信号に基づいて、ステップＳ１６３で通信読取部８１″の読取りが終了していないと判別した場合、コントローラ１００は読取エラーと判別して表示部４８にエラー表示を行う（ステップＳ１６４）。
【０１９９】
一方、ステップＳ１６３で通信読取部８１″の読取りが終了したものと判別した場合、コントローラ１００は本体制御部１１１に対して電子ペーパーの読取搬送終了を示す信号を送信する（ステップＳ１６５）。
【０２００】
次いで、コントローラ１００は排紙センサ５０がオフになったか否かを判別し（ステップＳ１６６）、排紙センサ５０がオフになっていないものと判別した場合には、ジャム検出時間オーバーか否かを判別する（ステップＳ１６７）。
【０２０１】
コントローラ１００はジャム検出時間オーバーであるものと判別した場合には、排紙滞留ジャムと判別して表示部４８にジャム表示を行う（ステップＳ１６８）。また、コントローラ１００は排紙センサ５０がオフになったものと判別した場合には、排紙完了を示す信号を本体制御部１１１に送信して（ステップＳ１６９）、処理を終了する。
なお、本実施の形態では、読取出口センサ４７がオフとなってから所定パルスに達すると読取終了をチェックするようにしたが、これに限らず、排紙センサ５０がオフとなったときに読取終了をチェックするようにしても良い。
【０２０２】
このような本発明の他の実施の形態としての複写機２１は、光学読取部８１′の読取位置８０に対して搬送方向下流の読取出口センサ４７と排紙ローラ４２の間の搬送路近傍に通信読取部８１″を配置し、電子ペーパーの読取りを排紙トレイ４３側で行う構成を有している。この構成は請求項９に記載の発明の実施の一形態に相当する。
この構成により、通信読取部８１″の読取開始位置と光学読取部８１′の読取位置８０が離間し、前記読取開始位置は排紙トレイ側にあること、および通信読取部８１″による読取り動作では光学読取りに比べて搬送スキューの影響が少ないことから、例えば、紙媒体については従来のＡＤＦ２３の搬送制御を適用し、電子ペーパーについてはスキュー補正のための突当て動作や読取位置８０より上流でのレジスト停止を行わず、読取位置８０より下流の通信読取部８１″の読取開始位置まで読取り時よりも高速に搬送することができる。また、次原稿の搬送に対する影響が低減しつつ、高速で搬送されてきた電子ペーパーの電子データを例えば、排紙ローラ４２の近傍で確実に一括読取りすることができる。さらに、ＡＤＦ２３のメンテナンス時に通信読取部８１″のメンテナンスも行うことができる。
【０２０３】
なお、本実施の形態に限らず、レジスト停止送信（ステップＳ１５０）を行わず、ステップＳ１４９からステップＳ１５１以降の動作を行うように構成しても良い。これ構成により、さらに搬送速度を向上させることができる。
また、本実施の形態に限らず、電子ペーパーの種別によって異なる、ＡＤＦ２３の各種ローラ、コロに対する摩擦係数に応じて突当て動作およびレジスト停止を行うように構成しても良い。この構成により、電子ペーパーの仕様に応じて適切な搬送制御を行い、確実に電子ペーパーを読取ることができる。
【０２０４】
また、本実施の形態は、呼出しコロ３１近傍に配した電子媒体・容量検出部８０２′により原稿が略停止した状態で媒体種別および電子データの容量を検出し、排紙トレイ４３側に配した通信読取部８１″で電子ペーパーの電子データを読取るので、媒体種類の判別に基づいて異なる搬送制御を選択し、例えば、搬送速度の設定に必要な所要通信時間を算出するための処理時間を確保することができる。また、電子媒体・容量検出部８０２′は、媒体種別を検出する機能と電子ペーパーの容量を検出する機能とを併せ持つので、双方の機能が分散している構成に比べ、省スペース、部品数の低減、メンテナンスの効率化の点で優れている。したがって、画像読取装置としての複写機２１の信頼性向上に有益である。
【０２０５】
なお、前述した実施形態では、通信読取部８１″を排紙ローラ４２あるいは排紙センサ５０の近傍に設けた場合について説明したが、本発明はこれに加えて、コンタクトガラス２２ａの近傍（例えば、原稿スケール側の下方）に他の通信読取部を設け、２箇所で通信よる読取りを行うようにしても良い。前記他の通信読取部は、コンタクトガラス２２ａ上に載置した電子ペーパーを読取るためのものである。
【０２０６】
また、前述した実施形態では、通信読取部８１″を排紙ローラ４２および排紙センサ５０の近傍に設けた場合について説明したが、本発明はこのほかに、通信読取部８１″を原稿テーブル２４の近傍に設けても良い。
【０２０７】
また、前述した実施形態では、電子ペーパーを読取出口センサ４７と排紙センサ５０又は排紙ローラ４２との間で搬送しながら読取るようにした場合について説明したが、本発明はこのほかに、電子ペーパーの搬送を一旦停止して読取るようにしても同様の効果が得られるものである。例えば、排紙ローラ４２に電子ペーパーを挟持した状態で排紙搬送を停止し、ここで読取った後に排紙搬送を再実行するようにしても良い。この場合、読取り後は速やかに電子ペーパーを排紙トレイ４３に排紙することができる。
【０２０８】
なお、柔軟性に富むポリマー・フィルム基板を用いた電子ペーパーが普及しても会議資料等としては紙媒体との併用が想定されるため、紙媒体と電子ペーパーとをＡＤＦ２３に混載して読取り、電子データとして蓄積し、あるいは他の画像処理装置に送信することが望まれる。ここで、従来技術を適用した場合には、例えば、紙媒体と電子ペーパーとを手作業で仕分け、紙媒体は画像読取装置の原稿テーブルに載置して読取り、電子ペーパーはパーソナルコンピュータにＵＳＢを介して接続して読取り、双方の電子データを再編集するという煩雑な作業を要することになる。これに対し、前述した実施の形態によれば、既存の画像読取装置（又は画像形成装置）としての複写機２１に通信読取部８１″、容量検出部８０１、電子媒体検出部８０２（あるいは電子媒体・容量検出部８０２′）を設け、紙媒体と電子ペーパーの一方又は双方を搬送するときに媒体種別を判別して搬送速度を制御し、電子ペーパーの全頁分の電子データを一括して読取るようにしたので、紙媒体および電子ペーパーの双方を読取ることができ、しかも電子ペーパーの読取作業を簡素化して処理時間を短縮することができる。
【図面の簡単な説明】
【０２０９】
【図１】本発明の実施の一形態としての複写機の断面図である。
【図２】本発明の実施の一形態としての自動原稿搬送装置の断面図である。
【図３】本発明の実施の一形態としての媒体種別検出部のブロック図である。
【図４】本発明の実施の一形態としての電子ペーパーの平面図である。
【図５】本発明の実施の一形態としての電子ペーパーのブロック図である。
【図６】本発明の実施の一形態としての容量検出部のブロック図である。
【図７】本発明の実施の一形態としての自動原稿搬送装置の制御系を示すブロック図である。
【図８】本発明の実施の一形態としての通信読取部のブロック図である。
【図９】本発明の実施の一形態としての搬送制御のフローチャートである。
【図１０】図９に後続する搬送制御のフローチャートである。
【図１１】図１０に後続する搬送制御のフローチャートである。
【図１２】本発明の実施の一形態としての原稿の読取りを開始したときの搬送制御のフローチャートである。
【図１３】図１２に後続する搬送制御のフローチャートである。
【図１４】図１３に後続する搬送制御のフローチャートである。
【図１５】図１４に後続する搬送制御のフローチャートである。
【図１６】本発明の実施の一形態としての次原稿のプレフィード動作のフローチャートである。
【図１７】本発明の他の実施の形態としての自動原稿搬送装置の断面図である。
【図１８】本発明の他の実施の形態としての媒体種別・容量検出部のブロック図である。
【図１９】本発明の他の実施の形態としての自動原稿搬送装置の制御系を示すブロック図である。
【図２０】本発明の他の実施の形態としての搬送制御のフローチャートである。
【図２１】図２０に後続する搬送制御のフローチャートである。
【図２２】図２１に後続する搬送制御のフローチャートである。
【図２３】図２２に後続する搬送制御のフローチャートである。
【図２４】図２３に後続する搬送制御のフローチャートである。
【図２５】本発明の他の実施の形態としての原稿の読取りを開始したときの搬送制御のフローチャートである。
【図２６】図２５に後続する搬送制御のフローチャートである。
【符号の説明】
【０２１０】
２１  複写機（画像形成装置）
２３  ＡＤＦ（搬送手段）
２４  原稿テーブル（原稿載置台）
２５〜２７  原稿長さ検出センサ
３２  給紙ベルト
３３  リバースローラ
３６  プルアウトローラ対
３７  読取入口ローラ対
４０  読取出口ローラ対
４２  排紙ローラ
４３  排紙トレイ
４４  切換爪
４５  反転ローラ対
４６ａ  スイッチバック通路
４９  反転センサ
５３  反転通路
８１  画像読取装置
８１ｇ  アンテナ部（第３の通信手段）
８１ｈ  通信制御部
８１ｉ  画像記憶部
８１′  光学読取部（光学読取手段）
８１″  通信読取部（通信読取手段）
８３  感光体ドラム（画像形成手段）
８６  現像装置（画像形成手段）
８７  転写ベルト（画像形成手段）
８８  クリーニング装置（画像形成手段）
１００  コントローラ（搬送制御手段、読取時間算出手段）
１０２  給紙モータ
１０３  読取モータ
１０４  反転モータ
１１１  本体制御部（読取制御手段、読取時間算出手段）
８０１  容量検出部（容量検出手段）
８０１ａ  アンテナ部（第４の通信手段）
８０１ｂ  通信制御部
８０１ｃ  容量記憶部
８０２  電子媒体検出部（判別手段）
８０２ａ  アンテナ部（第２の通信手段）
８０２ｂ  通信制御部
８０２ｃ  媒体種別記憶部
８０２′  電子媒体・容量検出部（判別手段、容量検出手段）
９００  電子ペーパー
９０１  コイルアンテナ（第１の通信手段）
９０２  ＩＣチップ
９０２ａ  整流回路
９０２ｂ  変復調回路（第１の通信手段）
９０２ｃ  通信制御回路（第１の通信手段）
９０２ｄ  ＩＣチップ記憶素子（画像記憶手段）
９０３  電子ペーパー記憶部
９０４  電子ペーパー表示器（画像表示手段）
９０５  電子ペーパードライバ（画像表示手段）
９０６  電源
９０８、９０９  表示領域
Ｐ  原稿束
Ｓ１〜Ｓ５  転写紙（用紙、記録媒体）
【図１】
2008124722.tif 000003
【図２】
2008124722.tif 000004
【図３】
2008124722.tif 000005
【図４】
2008124722.tif 000006
【図５】
2008124722.tif 000007
【図６】
2008124722.tif 000008
【図７】
2008124722.tif 000009
【図８】
2008124722.tif 000010
【図９】
2008124722.tif 000011
【図１０】
2008124722.tif 000012
【図１１】
2008124722.tif 000013
【図１２】
2008124722.tif 000014
【図１３】
2008124722.tif 000015
【図１４】
2008124722.tif 000016
【図１５】
2008124722.tif 000017
【図１６】
2008124722.tif 000018
【図１７】
2008124722.tif 000019
【図１８】
2008124722.tif 000020
【図１９】
2008124722.tif 000021
【図２０】
2008124722.tif 000022
【図２１】
2008124722.tif 000023
【図２２】
2008124722.tif 000024
【図２３】
2008124722.tif 000025
【図２４】
2008124722.tif 000026
【図２５】
2008124722.tif 000027
【図２６】
2008124722.tif 000028